(57)【要約】【課題】３個以上のキーが同時押下された場合でも、正確に押下されているキーを検出することが可能なマトリックス回路を、低コストで実現する。【解決手段】キーマトリックス回路１０は、キースキャン出力信号線ＫＳ＿Ａ，ＫＳ＿Ｂと、キーリターン入力信号線ＫＲ＿１〜ＫＲ＿４と、抵抗入りではない低コストな通常のスイッチを用いて構成されるスイッチＳＷ１〜ＳＷ８と、外付け抵抗を用いて構成される信号制御抵抗Ｒ＿ＳＡ１，Ｒ＿Ｒａ１，Ｒ＿Ｒａ２，Ｒ＿ＳＢ２，Ｒ＿Ｒｂ１，Ｒ＿Ｒｂ２と、プルアップ抵抗Ｒ１〜Ｒ４と、を備え、３個以上のキーが同時押下された場合でも、正確に押下されているキーを検出可能に構成される。【選択図】図１
2018163410.tif 000002
【特許請求の範囲】
【請求項１】
キーマトリックス回路であって、
出力信号線部と、
入力信号線部と、
前記出力信号線部と前記入力信号線部の間を電気的に接続するスイッチ部と、
前記出力信号線部から出力され前記入力信号線部に入力されるスキャン信号の電圧を降下させる信号制御抵抗部と、を備え、
前記出力信号線部は、
第１キースキャン出力信号線と、
第２キースキャン出力信号線と、を備え、
前記入力信号線部は、第１入力信号線部と第２入力信号線部を備え、
前記第１入力信号線部は、
第１プルアップ抵抗を介して電源電圧が印加された第１キーリターン入力信号線と、
第２プルアップ抵抗を介して電源電圧が印加された第２キーリターン入力信号線と、を備え、
前記第２入力信号線部は、
第３プルアップ抵抗を介して電源電圧が印加された第３キーリターン入力信号線と、
第４プルアップ抵抗を介して電源電圧が印加された第４キーリターン入力信号線と、を備え、
前記スイッチ部は、第１スイッチ部と第２スイッチ部を備え、
前記第１スイッチ部は、
前記第１キースキャン出力信号線と前記第１キーリターン入力信号線を電気的に接続する第１スイッチと、
前記第１キースキャン出力信号線と前記第２キーリターン入力信号線を電気的に接続する第２スイッチと、
前記第２キースキャン出力信号線と前記第１キーリターン入力信号線を電気的に接続する第３スイッチと、
前記第２キースキャン出力信号線と前記第２キーリターン入力信号線を電気的に接続する第４スイッチと、を備え、
前記第２スイッチ部は、
前記第１キースキャン出力信号線と前記第３キーリターン入力信号線を電気的に接続する第５スイッチと、
前記第１キースキャン出力信号線と前記第４キーリターン入力信号線を電気的に接続する第６スイッチと、
前記第２キースキャン出力信号線と前記第３キーリターン入力信号線を電気的に接続する第７スイッチと、
前記第２キースキャン出力信号線と前記第４キーリターン入力信号線を電気的に接続する第８スイッチと、を備え、
前記信号制御抵抗部は、第１信号制御抵抗部と第２信号制御抵抗部を備え、
前記第１信号制御抵抗部は、
前記第１スイッチよりも前記第１キースキャン出力線の出力端に電気的に近い前記第１キースキャン出力信号線上に設けられた第１信号制御抵抗と、
前記第３スイッチよりも前記第１キーリターン信号の入力端から遠い前記第１キーリターン入力信号線上に設けられた第２信号制御抵抗と、
前記第２スイッチと前記第４スイッチの間の前記第２キーリターン入力信号線上に設けられた第３信号制御抵抗と、を備え、
前記第２信号制御抵抗部は、
前記第４スイッチと前記第７スイッチの間の前記第２キースキャン出力信号線上に設けられた第４信号制御抵抗と、
前記第７スイッチよりも前記第３キーリターン信号の入力端から電気的に遠い第３キーリターン入力信号線上に設けられた第５信号制御抵抗と、
前記第６スイッチと前記第８スイッチの間の前記第４キーリターン入力信号線上に設けられた第６信号制御抵抗と、を備えていることを特徴とするキーマトリックス回路。
【請求項２】
キーマトリックス回路であって、
出力信号線部と、
入力信号線部と、
前記出力信号線部と前記入力信号線部の間を電気的に接続するスイッチ部と、
前記出力信号線部から出力され前記入力信号線部に入力されるスキャン信号の電圧を降下させる信号制御抵抗部と、を備え、
前記出力信号線部は、
第１キースキャン出力信号線と、
第２キースキャン出力信号線と、を備え、
前記入力信号線部は、第１入力信号線部と第２入力信号線部を備え、
前記第１入力信号線部は、
第１プルアップ抵抗を介して電源電圧が印加された第１キーリターン入力信号線と、
第２プルアップ抵抗を介して電源電圧が印加された第２キーリターン入力信号線と、を備え、
前記第２入力信号線部は、
第３プルアップ抵抗を介して電源電圧が印加された第３キーリターン入力信号線と、
第４プルアップ抵抗を介して電源電圧が印加された第４キーリターン入力信号線と、を備え、
前記スイッチ部は、第１スイッチ部と第２スイッチ部を備え、
前記第１スイッチ部は、
前記第１キースキャン出力信号線と前記第１キーリターン入力信号線を電気的に接続する第１スイッチと、
前記第１キースキャン出力信号線と前記第２キーリターン入力信号線を電気的に接続する第２スイッチと、
前記第２キースキャン出力信号線と前記第１キーリターン入力信号線を電気的に接続する第３スイッチと、
前記第２キースキャン出力信号線と前記第２キーリターン入力信号線を電気的に接続する第４スイッチと、を備え、
前記第２スイッチ部は、
前記第１キースキャン出力信号線と前記第３キーリターン入力信号線を電気的に接続する第５スイッチと、
前記第１キースキャン出力信号線と前記第４キーリターン入力信号線を電気的に接続する第６スイッチと、
前記第２キースキャン出力信号線と前記第３キーリターン入力信号線を電気的に接続する第７スイッチと、
前記第２キースキャン出力信号線と前記第４キーリターン入力信号線を電気的に接続する第８スイッチと、を備え、
前記信号制御抵抗部は、第１信号制御抵抗部と第２信号制御抵抗部を備え、
前記第１信号制御抵抗部は、
前記第３スイッチよりも前記第２キースキャン出力線の出力端に電気的に近い前記第２キースキャン出力信号線上に設けられた第１信号制御抵抗と、
前記第３スイッチと前記第１スイッチの間の前記第１キーリターン入力信号線上に設けられた第２信号制御抵抗と、
前記第２スイッチよりも前記第２キーリターン信号の入力端から電気的に近い前記第２キーリターン入力信号線上に設けられた第３信号制御抵抗と、を備え、
前記第２信号制御抵抗部は、
前記第５スイッチと前記第２スイッチの間の前記第１キースキャン出力信号線上に設けられた第４信号制御抵抗と、
前記第５スイッチと前記第７スイッチの間の前記第３キーリターン入力信号線上に設けられた第５信号制御抵抗と、
前記第６スイッチよりも前記第４キーリターン信号の入力端に近い前記第４キーリターン入力信号線上に設けられた第６信号制御抵抗と、を備えていることを特徴とするキーマトリックス回路。
【請求項３】
前記出力信号線部、前記スイッチ部及び前記信号制御抵抗部を備える第１基本構成部が前記出力信号線部に沿って複数繰り返し接続されていることを特徴とする請求項１又は請求項２に記載のキーマトリックス回路。
【請求項４】
前記第１入力信号線部、前記第１入力信号線部に対応する前記第１スイッチ部及び前記第１信号制御抵抗部を備える第２基本構成部が前記入力信号線部に沿って複数電気的に接続され、
前記第２入力信号線部に対応する前記第２スイッチ部及び前記第２信号制御抵抗部を備える第３基本構成部が、前記第に構成部の前記出力信号線部に沿って隣接し接続されていることを特徴とする請求項１から請求項３のいずれか１項に記載のキーマトリックス回路。
【発明の詳細な説明】
【技術分野】
【０００１】
本発明は、キーマトリックス回路に関する。
【背景技術】
【０００２】
近年普及している携帯電話、カーナビゲーションのような電子機器類の操作キー（例えば、テンキー）には、一般的にキーマトリックス回路が用いられている。このようなキーマトリックス回路が用いられている機器類は、その機能の向上に伴い操作が複雑化してきており、従来のようなキーを単独で使用するだけでは機器類が有する複数の機能全てに対応することが困難になってきている。
【０００３】
このため、キーを単独で使用するだけではなく、複数のキーを同時押下するような使い方を加えることで、キーの数を増やさずにより多くの機能に対応したキー操作を可能にすることが望まれている。しかしながら、キーマトリックス回路では、３個以上のキーを同時押下すると、押下されていない他のキーが押下された場合と、区別がつかなくなることがあり、正確に検出ができないという問題があった。
【０００４】
そのような課題を解決するために、従来、例えば、特許文献１には、全てのスイッチに、抵抗入りのスイッチを使用することで、３個以上のキーが同時押下されても、正確に押下されているキーを検出することが可能な構成が記載されている。
【先行技術文献】
【特許文献】
【０００５】
【特許文献１】特開２００９−３２２０３号公報
【発明の概要】
【発明が解決しようとする課題】
【０００６】
しかしながら、抵抗入りのスイッチは、特殊な部品であるため高価であり、特許文献１に記載されている構成を採用すると、コストを低く抑えることが難しいという問題がある。一方で、通常のスイッチに外付け抵抗を付加することで抵抗入りのスイッチと同様の機能を実現するようにすれば安価に構成できる。このため、特許文献１に記載された抵抗入りのスイッチを全て通常のスイッチと外付け抵抗とを組み合わせた構成に置き換えれば、コストを低く抑えることが可能である。
【０００７】
ところが、キーマトリックス回路が用いられる操作キー等には、広い実装スペースを占有することが許されない場合が多く、このため、通常のスイッチと外付け抵抗とを組み合わせた構成にすれば、新たに必要となる外付け抵抗の実装スペースの確保について問題が発生する。
【０００８】
本発明は、このような事情に鑑みなされたものであり、３個以上のスイッチが同時押下された場合でも、正確に押下されているスイッチを検出することが可能なキーマトリックス回路を、低コスト化が可能である通常のスイッチと外付け抵抗とを用いた構成で実現しつつ、実装スペースの増加を抑制することを目的とする。
【課題を解決するための手段】
【０００９】
上記した課題を解決するために本発明は以下の構成によって把握される。
（１）本発明のキーマトリックス回路は、キーマトリックス回路であって、
出力信号線部と、
入力信号線部と、
前記出力信号線部と前記入力信号線部の間を電気的に接続するスイッチ部と、
前記出力信号線部から出力され前記入力信号線部に入力されるスキャン信号の電圧を降下させる信号制御抵抗部と、を備え、
前記出力信号線部は、
第１キースキャン出力信号線と、
第２キースキャン出力信号線と、を備え、
前記入力信号線部は、第１入力信号線部と第２入力信号線部を備え、
前記第１入力信号線部は、
第１プルアップ抵抗を介して電源電圧が印加された第１キーリターン入力信号線と、
第２プルアップ抵抗を介して電源電圧が印加された第２キーリターン入力信号線と、を備え、
前記第２入力信号線部は、
第３プルアップ抵抗を介して電源電圧が印加された第３キーリターン入力信号線と、
第４プルアップ抵抗を介して電源電圧が印加された第４キーリターン入力信号線と、を備え、
前記スイッチ部は、第１スイッチ部と第２スイッチ部を備え、
前記第１スイッチ部は、
前記第１キースキャン出力信号線と前記第１キーリターン入力信号線を電気的に接続する第１スイッチと、
前記第１キースキャン出力信号線と前記第２キーリターン入力信号線を電気的に接続する第２スイッチと、
前記第２キースキャン出力信号線と前記第１キーリターン入力信号線を電気的に接続する第３スイッチと、
前記第２キースキャン出力信号線と前記第２キーリターン入力信号線を電気的に接続する第４スイッチと、を備え、
前記第２スイッチ部は、
前記第１キースキャン出力信号線と前記第３キーリターン入力信号線を電気的に接続する第５スイッチと、
前記第１キースキャン出力信号線と前記第４キーリターン入力信号線を電気的に接続する第６スイッチと、
前記第２キースキャン出力信号線と前記第３キーリターン入力信号線を電気的に接続する第７スイッチと、
前記第２キースキャン出力信号線と前記第４キーリターン入力信号線を電気的に接続する第８スイッチと、を備え、
前記信号制御抵抗部は、第１信号制御抵抗部と第２信号制御抵抗部を備え、
前記第１信号制御抵抗部は、
前記第１スイッチよりも前記第１キースキャン出力線の出力端に電気的に近い前記第１キースキャン出力信号線上に設けられた第１信号制御抵抗と、
前記第３スイッチよりも前記第１キーリターン信号の入力端から遠い前記第１キーリターン入力信号線上に設けられた第２信号制御抵抗と、
前記第２スイッチと前記第４スイッチの間の前記第２キーリターン入力信号線上に設けられた第３信号制御抵抗と、を備え、
前記第２信号制御抵抗部は、
前記第４スイッチと前記第７スイッチの間の前記第２キースキャン出力信号線上に設けられた第４信号制御抵抗と、
前記第７スイッチよりも前記第３キーリターン信号の入力端から電気的に遠い第３キーリターン入力信号線上に設けられた第５信号制御抵抗と、
前記第６スイッチと前記第８スイッチの間の前記第４キーリターン入力信号線上に設けられた第６信号制御抵抗と、を備えている。
【００１０】
（２）本発明のキーマトリックス回路は、出力信号線部と、
入力信号線部と、
前記出力信号線部と前記入力信号線部の間を電気的に接続するスイッチ部と、
前記出力信号線部から出力され前記入力信号線部に入力されるスキャン信号の電圧を降下させる信号制御抵抗部と、を備え、
前記出力信号線部は、
第１キースキャン出力信号線と、
第２キースキャン出力信号線と、を備え、
前記入力信号線部は、第１入力信号線部と第２入力信号線部を備え、
前記第１入力信号線部は、
第１プルアップ抵抗を介して電源電圧が印加された第１キーリターン入力信号線と、
第２プルアップ抵抗を介して電源電圧が印加された第２キーリターン入力信号線と、を備え、
前記第２入力信号線部は、
第３プルアップ抵抗を介して電源電圧が印加された第３キーリターン入力信号線と、
第４プルアップ抵抗を介して電源電圧が印加された第４キーリターン入力信号線と、を備え、
前記スイッチ部は、第１スイッチ部と第２スイッチ部を備え、
前記第１スイッチ部は、
前記第１キースキャン出力信号線と前記第１キーリターン入力信号線を電気的に接続する第１スイッチと、
前記第１キースキャン出力信号線と前記第２キーリターン入力信号線を電気的に接続する第２スイッチと、
前記第２キースキャン出力信号線と前記第１キーリターン入力信号線を電気的に接続する第３スイッチと、
前記第２キースキャン出力信号線と前記第２キーリターン入力信号線を電気的に接続する第４スイッチと、を備え、
前記第２スイッチ部は、
前記第１キースキャン出力信号線と前記第３キーリターン入力信号線を電気的に接続する第５スイッチと、
前記第１キースキャン出力信号線と前記第４キーリターン入力信号線を電気的に接続する第６スイッチと、
前記第２キースキャン出力信号線と前記第３キーリターン入力信号線を電気的に接続する第７スイッチと、
前記第２キースキャン出力信号線と前記第４キーリターン入力信号線を電気的に接続する第８スイッチと、を備え、
前記信号制御抵抗部は、第１信号制御抵抗部と第２信号制御抵抗部を備え、
前記第１信号制御抵抗部は、
前記第３スイッチよりも前記第２キースキャン出力線の出力端に電気的に近い前記第２キースキャン出力信号線上に設けられた第１信号制御抵抗と、
前記第３スイッチと前記第１スイッチの間の前記第１キーリターン入力信号線上に設けられた第２信号制御抵抗と、
前記第２スイッチよりも前記第２キーリターン信号の入力端から電気的に近い前記第２キーリターン入力信号線上に設けられた第３信号制御抵抗と、を備え、
前記第２信号制御抵抗部は、
前記第５スイッチと前記第２スイッチの間の前記第１キースキャン出力信号線上に設けられた第４信号制御抵抗と、
前記第５スイッチと前記第７スイッチの間の前記第３キーリターン入力信号線上に設けられた第５信号制御抵抗と、
前記第６スイッチよりも前記第４キーリターン信号の入力端に近い前記第４キーリターン入力信号線上に設けられた第６信号制御抵抗と、を備えている。
【００１１】
（３）上記（１）又は（２）の構成において、前記出力信号線部、前記スイッチ部及び前記信号制御抵抗部を備える第１基本構成部が前記出力信号線部に沿って複数繰り返し接続されている。
【００１２】
（４）上記（１）から（３）のいずれか１の構成において、前記第１入力信号線部、前記第１入力信号線部に対応する前記第１スイッチ部及び前記第１信号制御抵抗部を備える第２基本構成部が前記入力信号線部に沿って複数電気的に接続され、
前記第２入力信号線部に対応する前記第２スイッチ部及び前記第２信号制御抵抗部を備える第３基本構成部が、前記第に構成部の前記出力信号線部に沿って隣接し接続されている。
【発明の効果】
【００１３】
本発明によれば、３個以上のスイッチが同時押下された場合でも、押下されているスイッチを検出することが可能なキーマトリックス回路を、低コストで実現しつつ、実装スペースの増加を抑制したキーマトリックス回路を提供することができる。
【図面の簡単な説明】
【００１４】
【図１】本発明の第１実施形態のキーマトリックス回路の構成を示す図である。
【図２】（ａ）は第１実施形態の動作説明の図であり、（ｂ）は（ａ）の等価回路を示した図である。
【図３】（ａ）は第１実施形態の動作説明の図であり、（ｂ）は（ａ）の等価回路を示した図である。
【図４】（ａ）は第１実施形態の動作説明の図であり、（ｂ）は（ａ）の等価回路を示した図である。
【図５】（ａ）は第１実施形態の動作説明の図であり、（ｂ）は（ａ）の等価回路を示した図である。
【図６】（ａ）は第１実施形態の動作説明の図であり、（ｂ）は（ａ）の等価回路を示した図である。
【図７】（ａ）は第１実施形態の動作説明の図であり、（ｂ）は（ａ）の等価回路を示した図である。
【図８】（ａ）は第１実施形態の動作説明の図であり、（ｂ）は（ａ）の等価回路を示した図である。
【図９】（ａ）は第１実施形態の動作説明の図であり、（ｂ）は（ａ）の等価回路を示した図である。
【図１０】（ａ）は第１実施形態の動作説明の図であり、（ｂ）は（ａ）の等価回路を示した図である。
【図１１】（ａ）は第１実施形態の動作説明の図であり、（ｂ）は（ａ）の等価回路を示した図である。
【図１２】（ａ）は第１実施形態の動作説明の図であり、（ｂ）は（ａ）の等価回路を示した図である。
【図１３】（ａ）は第１実施形態の動作説明の図であり、（ｂ）は（ａ）の等価回路を示した図である。
【図１４】（ａ）は第１実施形態の動作説明の図であり、（ｂ）は（ａ）の等価回路を示した図である。
【図１５】（ａ）は第１実施形態の動作説明の図であり、（ｂ）は（ａ）の等価回路を示した図である。
【図１６】（ａ）は第１実施形態の動作説明の図であり、（ｂ）は（ａ）の等価回路を示した図である。
【図１７】（ａ）は第１実施形態の動作説明の図であり、（ｂ）は（ａ）の等価回路を示した図である。
【図１８】（ａ）は第１実施形態の動作説明の図であり、（ｂ）は（ａ）の等価回路を示した図である。
【図１９】（ａ）は第１実施形態の動作説明の図であり、（ｂ）は（ａ）の等価回路を示した図である。
【図２０】（ａ）は第１実施形態の動作説明の図であり、（ｂ）は（ａ）の等価回路を示した図である。
【図２１】（ａ）は第１実施形態の動作説明の図であり、（ｂ）は（ａ）の等価回路を示した図である。
【図２２】（ａ）は第１実施形態の動作説明の図であり、（ｂ）は（ａ）の等価回路を示した図である。
【図２３】（ａ）は第１実施形態の動作説明の図であり、（ｂ）は（ａ）の等価回路を示した図である。
【図２４】（ａ）は第１実施形態の動作説明の図であり、（ｂ）は（ａ）の等価回路を示した図である。
【図２５】（ａ）は第１実施形態の動作説明の図であり、（ｂ）は（ａ）の等価回路を示した図である。
【図２６】（ａ）は第１実施形態の動作説明の図であり、（ｂ）は（ａ）の等価回路を示した図である。
【図２７】（ａ）は第１実施形態の動作説明の図であり、（ｂ）は（ａ）の等価回路を示した図である。
【図２８】（ａ）は第１実施形態の動作説明の図であり、（ｂ）は（ａ）の等価回路を示した図である。
【図２９】（ａ）は第１実施形態の動作説明の図であり、（ｂ）は（ａ）の等価回路を示した図である。
【図３０】（ａ）は第１実施形態の動作説明の図であり、（ｂ）は（ａ）の等価回路を示した図である。
【図３１】（ａ）は第１実施形態の動作説明の図であり、（ｂ）は（ａ）の等価回路を示した図である。
【図３２】（ａ）は第１実施形態の動作説明の図であり、（ｂ）は（ａ）の等価回路を示した図である。
【図３３】（ａ）は第１実施形態の動作説明の図であり、（ｂ）は（ａ）の等価回路を示した図である。
【図３４】（ａ）は第１実施形態の動作説明の図であり、（ｂ）は（ａ）の等価回路を示した図である。
【図３５】（ａ）は第１実施形態の動作説明の図であり、（ｂ）は（ａ）の等価回路を示した図である。
【図３６】（ａ）は第１実施形態の動作説明の図であり、（ｂ）は（ａ）の等価回路を示した図である。
【図３７】（ａ）は第１実施形態の動作説明の図であり、（ｂ）は（ａ）の等価回路を示した図である。
【図３８】（ａ）は第１実施形態の動作説明の図であり、（ｂ）は（ａ）の等価回路を示した図である。
【図３９】（ａ）は第１実施形態の動作説明の図であり、（ｂ）は（ａ）の等価回路を示した図である。
【図４０】（ａ）は第１実施形態の動作説明の図であり、（ｂ）は（ａ）の等価回路を示した図である。
【図４１】（ａ）は第１実施形態の動作説明の図であり、（ｂ）は（ａ）の等価回路を示した図である。
【図４２】本発明の第２実施形態のキーマトリックス回路の構成を示す図である。
【発明を実施するための形態】
【００１５】
以下、添付図面を参照して、本発明を実施するための形態（以下、本実施形態という）について詳細に説明する。なお、本実施形態の説明の全体を通して同じ要素には同じ番号を付している。
【００１６】
（第１実施形態の構成）
図１は本実施形態のキーマトリックス回路１０の構成を示す図である。
キーマトリックス回路１０はＡブロック（点線枠Ａ参照）、Ｂブロック（点線枠Ｂ参照）、Ｃブロック（点線枠Ｃ参照）及びＤブロック（点線枠Ｄ参照）の構成を有するキーマトリックス部から構成されている。
【００１７】
なお、Ａブロックの構成とＢブロックの構成とは、１つの基本構成となっている。また、この１つの基本構成を第１方向に複数設けてもよい。この場合、第１方向にはＡブロック、Ｂブロック、Ａブロック・・・というようにＡブロックとＢブロックが繰り返し並ぶ形となる。
【００１８】
また、Ａブロックの構成とＣブロックの構成は同じである。同じ構成ではあるが後述の説明をしやすくするためにブロックの名称を異ならせてある。  同様に、Ｂブロックの構成とＤブロックの構成は同じである。同じ構成ではあるが後述の説明をしやすくするためにブロックの名称を異ならせてある。上記と同様に第２方向にＣブロック、Ｄブロック、Ｃブロック・・・というようにＣブロックとＤブロックが繰り返し並ぶ形となる。
【００１９】
このため、図１では、Ｂブロック及びＤブロックの構成の更に第１方向側に続くブロックの図示を省略してあり、またＣブロック及びＤブロックの構成の更に第２方向側に続くブロックも同様に図示を省略している。省略している内容については上述の通りである。
【００２０】
次に、図１を参照しながら具体的な構成について説明するが、まず、基本構成の１つとなるＡブロック及びＢブロックに関する構成から説明する。
図１に示すように、本実施形態のキーマトリックス回路１０は、出力信号線部ＫＳと、入力信号線部ＫＲと、出力信号線部ＫＳと入力信号線部ＫＲの間を電気的に接続するスイッチ部ＳＷ（第１スイッチ部（ＳＷ１〜ＳＷ４）及び第２スイッチ部（ＳＷ５〜ＳＷ８））と、出力信号線部ＫＳから出力され、入力信号線部ＫＲに入力されるスキャン信号の電圧を降下させる信号制御抵抗部（第１信号制御抵抗部（Ｒ＿ＳＡ１、Ｒ＿Ｒａ１、Ｒ＿Ｒａ２）及び第２信号制御抵抗部（Ｒ＿ＳＢ２、Ｒ＿Ｒｂ１、Ｒ＿Ｒｂ２））と、を備えている。
【００２１】
出力信号線部ＫＳは、第１方向に延在する第１キースキャン出力信号線ＫＳ＿Ａと、第２キースキャン出力信号線ＫＳ＿Ｂと、を備えている。
【００２２】
入力信号線部ＫＲは、第１入力信号線部（ＫＲ＿１、ＫＲ＿２）と第２入力信号線部（ＫＲ＿３、ＫＲ＿４）を備えている。
【００２３】
第１入力信号線部（ＫＲ＿１、ＫＲ＿２）は、第１方向に交差する第２方向に延在し、第１プルアップ抵抗Ｒ１を介して電源電圧ＶＤＤが印加された第１キーリターン入力信号線ＫＲ＿１と、第２プルアップ抵抗Ｒ２を介して電源電圧ＶＤＤが印加された第２キーリターン入力信号線ＫＲ＿２と、を備えている。
【００２４】
第２入力信号線部（ＫＲ＿３、ＫＲ＿４）は、第３プルアップ抵抗Ｒ３を介して電源電圧ＶＤＤが印加された第３キーリターン入力信号線ＫＲ＿３と、第４プルアップ抵抗Ｒ４を介して電源電圧ＶＤＤが印加された第４キーリターン入力信号線ＫＲ＿４と、を備えている。
【００２５】
スイッチ部は、第１スイッチ部（ＳＷ１〜ＳＷ４）と第２スイッチ部（ＳＷ５〜ＳＷ８）を備えている。
【００２６】
第１スイッチ部（ＳＷ１〜ＳＷ４）は、第１キースキャン出力信号線ＫＳ＿Ａと第１キーリターン入力信号線ＫＲ＿１を電気的に接続する第１スイッチＳＷ１と、第１キースキャン出力信号線ＫＳ＿Ａと第２キーリターン入力信号線ＫＲ＿２を電気的に接続する第２スイッチＳＷ２と、第２キースキャン出力信号線ＫＳ＿Ｂと第１キーリターン入力信号線ＫＲ＿１を電気的に接続する第３スイッチＳＷ３と、第２キースキャン出力信号線ＫＳ＿Ｂと第２キーリターン入力信号線ＫＲ＿２を電気的に接続する第４スイッチＳＷ４と、を備えている。
【００２７】
第２スイッチ部（ＳＷ５〜ＳＷ８）は、第１キースキャン出力信号線ＫＳ＿Ａと第３キーリターン入力信号線ＫＲ＿３を電気的に接続する第５スイッチＳＷ５と、第１キースキャン出力信号線ＫＳ＿Ａと第４キーリターン入力信号線ＫＲ＿４を電気的に接続する第６スイッチＳＷ６と、第２キースキャン出力信号線ＫＳ＿Ｂと第３キーリターン入力信号線ＫＲ＿３を電気的に接続する第７スイッチＳＷ７と、第２キースキャン出力信号線ＫＳ＿Ｂと第４キーリターン入力信号線ＫＲ＿４を電気的に接続する第８スイッチＳＷ８と、を備えている。
スイッチ部ＳＷのスイッチは抵抗を内蔵していない一般的なスイッチである。
【００２８】
信号制御抵抗部は、第１信号制御抵抗部（Ｒ＿ＳＡ１、Ｒ＿Ｒａ１、Ｒ＿Ｒａ２）と第２信号制御抵抗部（Ｒ＿ＳＢ２、Ｒ＿Ｒｂ１、Ｒ＿Ｒｂ２）を備えている。
【００２９】
第１信号制御抵抗部（Ｒ＿ＳＡ１、Ｒ＿Ｒａ１、Ｒ＿Ｒａ２）は、第１スイッチＳＷ１よりも出力信号線部ＫＳの出力端に電気的に近い（出力ポート側）第１キースキャン出力信号線ＫＳ＿Ａ上に設けられた第１信号制御抵抗Ｒ＿ＳＡ１と、第３スイッチＳＷ３よりもスキャン信号入力側（入力ポート側）から離れる側の第１キーリターン入力信号線ＫＲ＿１上に設けられた第２信号制御抵抗Ｒ＿Ｒａ１と、第２スイッチＳＷ２と第４スイッチＳＷ４の間の第２キーリターン入力信号線ＫＲ＿２上に設けられた第３信号制御抵抗Ｒ＿Ｒａ２と、を備えている。
【００３０】
第２信号制御抵抗部（Ｒ＿ＳＢ２、Ｒ＿Ｒｂ１、Ｒ＿Ｒｂ２）は、第４スイッチＳＷ４と第７スイッチＳＷ７の間の第２キースキャン出力信号線ＫＳ＿Ｂ上に設けられた第４信号制御抵抗Ｒ＿ＳＢ２と、第７スイッチＳＷ７よりも第３キーリターン信号性ＫＲ＿３の入力端に電気的に遠い（入力ポート側）第３キーリターン入力信号線ＫＲ＿３上に設けられた第５信号制御抵抗Ｒ＿Ｒｂ１と、第６スイッチＳＷ６と第８スイッチＳＷ８の間の第４キーリターン入力信号線ＫＲ＿４上に設けられた第６信号制御抵抗Ｒ＿Ｒｂ２と、を備えている。
【００３１】
このように、本実施形態のキーマトリックス回路１０では、入力信号線部ＫＲ（第１入力信号線部（ＫＲ＿１、ＫＲ＿２）及び第２入力信号線部（ＫＲ＿３、ＫＲ＿４））に対応してＡブロック及びＢブロックを構成するために、出力信号線部ＫＳ１（ＫＳ＿Ａ、ＫＳ＿Ｂ）、スイッチ部ＳＷ（第１スイッチ部（ＳＷ１〜ＳＷ４）及び第２スイッチ部（ＳＷ５〜ＳＷ８））及び信号制御抵抗部Ｒ（第１信号制御抵抗部（Ｒ＿ＳＡ１、Ｒ＿Ｒａ１、Ｒ＿Ｒａ２）及び第２信号制御抵抗部（Ｒ＿ＳＢ２、Ｒ＿Ｒｂ１、Ｒ＿Ｒｂ２））を備えた第１基本構成部を有している。
【００３２】
そして、この第１基本構成部は第２方向に繰り返し設けられてよく、本実施形態では、第１基本構成部を第１方向に１回繰り返してＣブロック及びＤブロックを設けた場合を示している。
【００３３】
具体的には、本実施形態のキーマトリックス回路１０は、第２方向側に、出力信号線部ＫＳ１と同様の出力信号線部ＫＳ２（第３キースキャン出力信号線ＫＳ＿Ｃ、第４キースキャン出力信号線ＫＳ＿Ｄ）と、その出力信号線部ＫＳ２に対応して、出力信号線部ＫＳ２と入力信号線部ＫＲの間を電気的に接続するスイッチ部ＳＷ（第１スイッチ部（ＳＷ９〜ＳＷ１２）及び第２スイッチ部（ＳＷ１３〜ＳＷ１６））と、出力信号線部ＫＳ２から出力され、入力信号線部ＫＲに入力されるスキャン信号の電圧を降下させる信号制御抵抗部（第１信号制御抵抗部（第７信号制御抵抗Ｒ＿ＳＣ１、第８信号制御抵抗Ｒ＿Ｒｃ１、第９信号制御抵抗Ｒ＿Ｒｃ２）及び第２信号制御抵抗部（第１０信号制御抵抗Ｒ＿ＳＤ２、第１１信号制御抵抗Ｒ＿Ｒｄ１、第１２信号制御抵抗Ｒ＿Ｒｄ２））と、を備えている。
【００３４】
なお、先に述べたとおり、図１では、第１基本構成部の第２方向への繰り返し回数が１回であるところまでしか図示していないが、繰り返し回数は２回以上としてもよい。
【００３５】
一方、先に述べたとおり、第１方向に関しては、Ａブロック及びＢブロックの構成が繰り返されていてよい。
つまり、第１入力信号線部（ＫＲ＿１、ＫＲ＿２）、第１入力信号線部（ＫＲ＿１、ＫＲ＿２）に対応する第１スイッチ部（ＳＷ１〜ＳＷ４）及び第１信号制御抵抗部（Ｒ＿ＳＡ１、Ｒ＿Ｒａ１、Ｒ＿Ｒａ２）が設けられるブロックを第２基本構成部とし、第２入力信号線部（ＫＲ＿３、ＫＲ＿４）、第２入力信号部（ＫＲ＿３、ＫＲ＿４）に対応する第２スイッチ部（ＳＷ５〜ＳＷ８）及び第２信号制御抵抗部（Ｒ＿ＳＢ２、Ｒ＿Ｒｂ１、Ｒ＿Ｒｂ２）が設けられるブロックを第３基本構成部とした場合、第２方向に並ぶ２つ以上の第２基本構成部と、隣接する第２基本構成部の間に設けられた第３基本構成部と、を備えている構成として図１の更に第１方向にキーマトリックス部が拡張されていてよい。
【００３６】
なお、この場合、出力信号線部ＫＳの出力端から順に、第２基本構成部、第３基本構成部、第２基本構成部の順に並ぶこととなるが、順番を逆にして第３基本構成部、第２基本構成部、第３基本構成部というような順としてもよい。
【００３７】
（キーマトリックス回路の基本動作）
次に、上記構成において、どのようにしてスイッチの押下状態（スイッチがＯＮの状態）、非押下状態（スイッチがＯＦＦの状態）が検出されるのかについて、基本動作を説明する。
【００３８】
先ず、キーマトリックス回路１０は、上述したように、各キーリターン入力信号線ＫＲ＿１、ＫＲ＿２、ＫＲ＿３、ＫＲ＿４には、それぞれプルアップ抵抗Ｒ１、Ｒ２、Ｒ３、Ｒ４を介して電源電圧ＶＤＤが常に印加されている。
【００３９】
そして、図示を省略した４個のＡ／Ｄ（Analog／Digital）入力ポートを有するマイコンに、それぞれの各キーリターン入力信号線ＫＲ＿１、ＫＲ＿２、ＫＲ＿３、ＫＲ＿４が接続される。
したがって、いずれのスイッチもＯＦＦの場合、つまり、押下されていない場合には、それぞれの入力ポートでは、印加されている電源電圧ＶＤＤに応じた電圧値（電位差）、つまり、電圧値がＨｉｇｈの状態が検出される。
【００４０】
一方、４つのキースキャン出力信号線ＫＳ＿Ａ、ＫＳ＿Ｂ、ＫＳ＿Ｃ、ＫＳ＿Ｄでは、スキャンを行いたいキースキャン出力信号線（ＫＳ＿Ａ、ＫＳ＿Ｂ、ＫＳ＿Ｃ、ＫＳ＿Ｄのいずれか）の電圧値をＬｏｗとし、他全てのキースキャン出力信号線の電圧値をＨｉｇｈとする。この動作は、一定の時間間隔で切り替えが行われている。
【００４１】
つまり、第１キースキャン出力信号線ＫＳ＿Ａの電圧値がＬｏｗで他のキースキャン出力信号線ＫＳ＿Ｂ、ＫＳ＿Ｃ、ＫＳ＿Ｄの電圧値がＨｉｇｈの状態が一定時間あり、このときにはスキャンを行っているキースキャン出力信号線は、第１キースキャン出力信号線ＫＳ＿Ａである。
【００４２】
一定時間経過後、今度は、第２キースキャン出力信号線ＫＳ＿Ｂの電圧値がＬｏｗで他のキースキャン出力信号線ＫＳ＿Ａ、ＫＳ＿Ｃ、ＫＳ＿Ｄの電圧値がＨｉｇｈの状態とされ、このときにはスキャンを行っているキースキャン出力信号線は、第２キースキャン出力信号線ＫＳ＿Ｂである。
このように、キースキャン出力信号線のスキャンは、ユーザがキーを押下するときに、通常押し続ける時間よりも十分短い時間間隔（例えば１０ｍｓ間隔）で順次切り替えられている。
【００４３】
ここで、スキャンを行っているキースキャン出力信号線が第１キースキャン出力信号線ＫＳ＿Ａである場合について以下で説明する。
各スイッチＳＷ１〜ＳＷ１６がいずれもＯＦＦ、つまり、押下されていない時には、それぞれの入力ポートでは、印加されている電源電圧ＶＤＤに応じた電圧値（電位差）、つまり、電圧値がＨｉｇｈの状態が検出されている。
【００４４】
一方、例えば、スイッチＳＷ２がＯＮ、つまり、押下されると、スイッチＳＷ２を介して、第１キースキャン出力信号線ＫＳ＿Ａと第２キーリターン入力信号線ＫＲ＿２とが導通することになる。
このため、第１キースキャン出力信号線ＫＳ＿Ａの電圧値Ｌｏｗを受けて第２キーリターン入力信号線ＫＲ＿２の電圧値もＬｏｗとなる。
【００４５】
第２キーリターン入力信号線ＫＲ＿２には、スイッチＳＷ２、スイッチＳＷ４、スイッチＳＷ１０及びスイッチＳＷ１２が接続されているが、スキャン中のキースキャン出力信号線は、第１キースキャン出力信号線ＫＳ＿Ａであるので、これに対応するのはスイッチＳＷ２である。
【００４６】
したがって、第１キースキャン出力信号線ＫＳ＿Ａをスキャンしている時に、第２キーリターン入力信号線ＫＲ＿２の電圧値（電位差）が変化すると、スイッチＳＷ２がＯＮ、つまり、押下されていることが検出される。
同様に、スイッチＳＷ１だけがＯＮ、つまり、押下されている場合も、基本的には上記スイッチＳＷ２の動作と同じ動作でスイッチＳＷ１が押下されていることが検出されることになる。
【００４７】
その他のスイッチが押下されている場合も、基本的な動作、つまり、どのキースキャン出力信号線をスキャンしている時に、どのキーリターン入力信号線の電圧値（電位差）の変化が検出されるのかによって、どのスイッチがＯＮ、つまり、押下されているのかが判断される。
【００４８】
（複数のスイッチが同時押下された時の動作）
本発明の基本的な動作は、上記で説明したとおりであり、以下では、同時に複数のスイッチがＯＮ、つまり、押下される場合について説明する。
【００４９】
図２（ａ）は、図１と基本的に同じ回路図を示しているが、信号の流れを見やすくするために、Ａブロック及びＢブロックの部分だけを図示し、Ｃブロック及びＤブロックの図示を省略している。
【００５０】
まず、Ａブロックに含まれる４つのスイッチＳＷ１〜ＳＷ４のうちの複数（３つ）のスイッチが同時押下されている場合の動作について説明を行う。
【００５１】
最初に、図２（ａ）の斜めのハッチングが施されているスイッチＳＷ２、ＳＷ３、ＳＷ４が同時押下されている状況を想定して説明を進める。
なお、上記のキーマトリックス回路１０の基本動作では、電圧値が変化していく様子で説明したが、説明の簡略化のため、スキャン信号という表現を用いて、信号の流れとして説明を行う。
また、以降の図において、押下されているスイッチについては斜めのハッチングを設け、そうでないスイッチにはハッチングを設けないものとする。
【００５２】
図２には図示していないが、第２キースキャン出力信号線ＫＳ＿Ｂをスキャンする場合、つまり、第２キースキャン出力信号線ＫＳ＿Ｂにスキャン信号が出力された場合には、そのスキャン信号の出力は、スイッチＳＷ３とスイッチＳＷ４を、それぞれ経由してキーリターン入力信号線ＫＲ＿１、ＫＲ＿２に入力されることになる。
【００５３】
この場合には、第２キースキャン出力信号線ＫＳ＿Ｂをスキャンしている時に、押下されているスイッチＳＷ３、ＳＷ４に対応したキーリターン入力信号線ＫＲ＿１、ＫＲ＿２にスキャン信号が入力される（電圧値（電位差）の変化が検出される）ことになり、スイッチＳＷ３、ＳＷ４が押下されていると判定される。これは、正しい判定状態であるので何ら問題はない。
【００５４】
一方、図２（ａ）に示されるように、第１キースキャン出力信号線ＫＳ＿Ａをスキャンするために、第１キースキャン出力信号線ＫＳ＿Ａからスキャン信号を出力（第１キースキャン出力信号線ＫＳ＿Ａの電圧値Ｌｏｗ）すると、第１キーリターン入力信号線ＫＲ＿１にスキャン信号が入力される経路は、スイッチＳＷ１が１つだけ押下された場合と、スイッチＳＷ２、ＳＷ３及びＳＷ４の３つが同時に押下された場合の２通りが考えられる。以下それぞれの場合について詳述する。
【００５５】
まず、通常の１つのスイッチが押下される場合で第１キーリターン入力信号線ＫＲ＿１にスキャン信号が入力されるのは、図２（ａ）に示す実線の経路を経由する時、つまり、スイッチＳＷ１が押下されている場合である。
なお、以下１つのスイッチだけが押下される場合のスキャン信号の経路のことを通常ルートと呼ぶ。
【００５６】
一方、図２（ａ）を見るとわかるとおり、この３つのスイッチＳＷ２、ＳＷ３、ＳＷ４を同時押下した場合には、スキャン信号は、点線で示す経路を経由して第１キーリターン入力信号線ＫＲ＿１に入力される。
なお、以降では、このような複数のスイッチを経由するスキャン信号の経路のことを回り込みルートと呼ぶ。
【００５７】
今、実際に、押下されているのは、スイッチＳＷ２、ＳＷ３、ＳＷ４であるが、スイッチＳＷ１が押下されているものと同じ回路となり、スイッチＳＷ２、ＳＷ３、ＳＷ４の同時押下なのか、スイッチＳＷ１の１つだけの押下なのか判定ができない（検出不能）ことになる。
【００５８】
以下では、上記のような判定ができない（検出不能）となる可能性があるときの本構成の動作について、さらに説明する。
図２（ｂ）にスキャン信号の経路を直線的に示した等価回路を示している。
なお、以降の図において（ｂ）として示す図は、特に断らない限り同図（ａ）の等価回路を示す図である。
【００５９】
図２（ｂ）の左側は、通常ルートの場合の等価回路を示しており、一方、図２（ｂ）の右側は、回り込みルートの等価回路を示している。
図２（ｂ）に示すとおり、本発明の構成では、通常ルートには、第１信号制御抵抗Ｒ＿ＳＡ１のみが存在し、一方、回り込みルートには、第１信号制御抵抗Ｒ＿ＳＡ１と第３信号制御抵抗Ｒ＿Ｒａ２が存在する。
【００６０】
ここで、第１信号制御抵抗Ｒ＿ＳＡ１の抵抗値と、第１信号制御抵抗Ｒ＿ＳＡ１及び第３信号制御抵抗Ｒ＿Ｒａ２の抵抗値を合わせた合成抵抗値が同じ場合には、通常ルートと回り込みルートで異なる電圧値（電位差）が検出できないことになるが、どちらのルートも第１信号制御抵抗Ｒ＿ＳＡ１が存在しているため、第１信号制御抵抗Ｒ＿ＳＡ１の抵抗値と、第１信号制御抵抗Ｒ＿ＳＡ１及び第３信号制御抵抗Ｒ＿Ｒａ２の抵抗値を合わせた合成抵抗値が同じになることはない。
【００６１】
したがって、第１キーリターン入力信号線ＫＲ＿１に入力されるスキャン信号は、通常ルートと回り込みルートでは、信号制御抵抗の有無、種類及び個数の影響を受けるので、異なる電圧値（電位差）として検出され、この電圧差から正しい押下判定が可能となる。
【００６２】
このような回り込みルートの発生は、同じキースキャン出力信号線（図２の例では、第２キースキャン出力信号線ＫＳ＿Ｂ）に繋がる２つのスイッチ（図２の例では、スイッチＳＷ３、ＳＷ４）と、そのスイッチのうちの１つ（図２の例では、スイッチＳＷ４）に繋がるキーリターン入力信号線（図２の例では、第２キーリターン入力信号線ＫＲ＿２）に繋がる他のスイッチ（図２の例では、スイッチＳＷ２）と、が同時押下されたときに発生し、以下、引き続き、Ａブロックで、このような同時押下が起こる他のパターンでも検出不可能が回避できることについて説明する。
【００６３】
次に、図３（ａ）の斜めのハッチングが施されているスイッチＳＷ１、ＳＷ３、ＳＷ４が同時押下されている状況を想定した場合について見てみる。
ここでも、図示を省略しているが第２キースキャン出力信号線ＫＳ＿Ｂをスキャンする時には、先ほど説明したのと同様の結果が得られるので正しい判定状態であり、何ら問題はない。
一方、第１キースキャン出力信号線ＫＳ＿Ａをスキャンする場合には、図３（ａ）に示すように、やはり、第２キーリターン入力信号線ＫＲ＿２に入力されるルートとして２つのルート、つまり、実線で示す通常ルートと点線で示す回り込みルートとが存在する。
【００６４】
しかしながら、本発明の構成では、図３（ｂ）に示すように、通常ルートには、第１信号制御抵抗Ｒ＿ＳＡ１のみが存在し、一方、回り込みルートには、第１信号制御抵抗Ｒ＿ＳＡ１と第３信号制御抵抗Ｒ＿Ｒａ２が存在する。
したがって、第２キーリターン入力信号線ＫＲ＿２に入力されるスキャン信号は、通常ルートと回り込みルートでは、異なる電圧値（電位差）として検出され、この電圧差から正しい押下判定が可能となる。
【００６５】
次に、図４（ａ）の斜めのハッチングが施されているスイッチＳＷ１、ＳＷ２、ＳＷ４が同時押下されている状況を想定した場合について見てみる。
ここでも、図示を省略しているが第１キースキャン出力信号線ＫＳ＿Ａをスキャンする時には、先ほど説明したのと同様の結果が得られるので正しい判定状態であり、何ら問題はない。
一方、第２キースキャン出力信号線ＫＳ＿Ｂをスキャンする場合には、図４（ａ）に示すように、やはり、第１キーリターン入力信号線ＫＲ＿１に入力されるルートとして２つのルート、つまり、実線で示す通常ルートと点線で示す回り込みルートとが存在する。
【００６６】
しかしながら、本発明の構成では、図４（ｂ）に示すように、通常ルートには、信号制御抵抗が存在せず、一方、回り込みルートには、第３信号制御抵抗Ｒ＿Ｒａ２が存在する。
したがって、第１キーリターン入力信号線ＫＲ＿１に入力されるスキャン信号は、通常ルートと回り込みルートでは、異なる電圧値（電位差）として検出され、この電圧差から正しい押下判定が可能となる。
【００６７】
次に、図５（ａ）の斜めのハッチングが施されているスイッチＳＷ１、ＳＷ２、ＳＷ３が同時押下されている状況を想定した場合について見てみる。
ここでも、図示を省略しているが第１キースキャン出力信号線ＫＳ＿Ａをスキャンする時には、先ほど説明したのと同様の結果が得られるので正しい判定状態であり、何ら問題はない。
一方、第２キースキャン出力信号線ＫＳ＿Ｂをスキャンする場合には、図５（ａ）に示すように、やはり、第２キーリターン入力信号線ＫＲ＿２に入力されるルートとして２つのルート、つまり、実線で示す通常ルートと点線で示す回り込みルートとが存在する。
【００６８】
しかしながら、本発明の構成では、図５（ｂ）に示すように、通常ルートには、第３信号制御抵抗Ｒ＿Ｒａ２が存在し、一方、回り込みルートには、信号制御抵抗が存在しない。
したがって、第２キーリターン入力信号線ＫＲ＿２に入力されるスキャン信号は、通常ルートと回り込みルートでは、異なる電圧値（電位差）として検出され、この電圧差から正しい押下判定が可能となる。
【００６９】
以上のようにＡブロックでは、同時押下による検出不能が回避されており、次に、Ｂブロックに含まれる４つのスイッチＳＷ５〜ＳＷ８のうちの複数（３つ）のスイッチが同時押下されている場合に検出不可能が回避できることについて説明する。
【００７０】
最初に、図６（ａ）の斜めのハッチングが施されているスイッチＳＷ６、ＳＷ７、ＳＷ８が同時押下されている状況を想定して説明を進める。
【００７１】
図６には図示していないが、第２キースキャン出力信号線ＫＳ＿Ｂをスキャンする場合、つまり、第２キースキャン出力信号線ＫＳ＿Ｂにスキャン信号が出力された場合には、そのスキャン信号の流れ（電圧の変化の流れ）は、スイッチＳＷ７とスイッチＳＷ８を、それぞれ経由してキーリターン入力信号線ＫＲ＿３、ＫＲ＿４に入力されることになる。
【００７２】
この場合には、第２キースキャン出力信号線ＫＳ＿Ｂをスキャンしている時に、押下されているスイッチＳＷ７、ＳＷ８に対応したキーリターン入力信号線ＫＲ＿３、ＫＲ＿４にスキャン信号が入力されることになり、スイッチＳＷ７、ＳＷ８が押下されていると判定される。これは、正しい判定状態であるので何ら問題はない。
【００７３】
一方、図６（ａ）に示されるように、第１キースキャン出力信号線ＫＳ＿Ａをスキャンするために、第１キースキャン出力信号線ＫＳ＿Ａからスキャン信号を出力（第１キースキャン出力信号線ＫＳ＿Ａの電圧値Ｌｏｗ）すると、第３キーリターン入力信号線ＫＲ＿３にスキャン信号が入力される経路は、スイッチＳＷ５が１つだけ押下された場合と、スイッチＳＷ６、ＳＷ７及びＳＷ８の３つが同時に押下された場合の２通りが考えられる。以下それぞれの場合について詳述する。
【００７４】
まず、通常の１つのスイッチが押下される場合で第３キーリターン入力信号線ＫＲ＿３にスキャン信号が入力されるのは、図６（ａ）に示す実線の経路を経由する時、つまり、スイッチＳＷ５が押下されている場合である。
一方、図６（ａ）を見るとわかるとおり、この３つのスイッチＳＷ６、ＳＷ７、ＳＷ８を同時押下した場合には、スキャン信号は、点線で示す経路を経由して第３キーリターン入力信号線ＫＲ＿３に入力される。
【００７５】
今、実際に、押下されているのは、スイッチＳＷ６、ＳＷ７、ＳＷ８であるが、スイッチＳＷ５が押下されているものと同じ回路となり、スイッチＳＷ６、ＳＷ７、ＳＷ８の同時押下なのか、スイッチＳＷ５の１つだけの押下なのか判定ができない（検出不能）ことになる。つまり、Ａブロックで説明したのと同様の状況が発生する。
【００７６】
しかし、図６（ｂ）に示す通り、本発明の構成では、通常ルートには、第１信号制御抵抗Ｒ＿ＳＡ１のみが存在し、一方、回り込みルートには、第１信号制御抵抗Ｒ＿ＳＡ１と第６信号制御抵抗Ｒ＿Ｒｂ２が存在する。
したがって、第３キーリターン入力信号線ＫＲ＿３に入力されるスキャン信号は、通常ルートと回り込みルートでは、異なる電圧値（電位差）として検出され、この電圧差から正しい押下判定が可能となる。
【００７７】
次に、図７（ａ）の斜めのハッチングが施されているスイッチＳＷ５、ＳＷ７、ＳＷ８が同時押下されている状況を想定した場合について見てみる。
ここでも、図示を省略しているが第２キースキャン出力信号線ＫＳ＿Ｂをスキャンする時には、先ほど説明したのと同様の結果が得られるので正しい判定状態であり、何ら問題はない。
一方、第１キースキャン出力信号線ＫＳ＿Ａをスキャンする場合には、図７（ａ）に示すように、やはり、第４キーリターン入力信号線ＫＲ＿４に入力されるルートとして２つのルート、つまり、実線で示す通常ルートと点線で示す回り込みルートとが存在する。
【００７８】
しかしながら、本発明の構成では、図７（ｂ）に示すように、通常ルートには、第１信号制御抵抗Ｒ＿ＳＡ１のみが存在し、一方、回り込みルートには、第１信号制御抵抗Ｒ＿ＳＡ１と第６信号制御抵抗Ｒ＿Ｒｂ２が存在する。
したがって、第４キーリターン入力信号線ＫＲ＿４に入力されるスキャン信号は、通常ルートと回り込みルートでは、異なる電圧値（電位差）として検出され、この電圧差から正しい押下判定が可能となる。
【００７９】
次に、図８（ａ）の斜めのハッチングが施されているスイッチＳＷ５、ＳＷ６、ＳＷ８が同時押下されている状況を想定した場合について見てみる。
ここでも、図示を省略しているが第１キースキャン出力信号線ＫＳ＿Ａをスキャンする時には、先ほど説明したのと同様の結果が得られるので正しい判定状態であり、何ら問題はない。
一方、第２キースキャン出力信号線ＫＳ＿Ｂをスキャンする場合には、図８（ａ）に示すように、やはり、第３キーリターン入力信号線ＫＲ＿３に入力されるルートとして２つのルート、つまり、実線で示す通常ルートと点線で示す回り込みルートとが存在する。
【００８０】
しかしながら、本発明の構成では、図８（ｂ）に示すように、通常ルートには、第４信号制御抵抗Ｒ＿ＳＢ２のみが存在し、一方、回り込みルートには、第４信号制御抵抗Ｒ＿ＳＢ２と第６信号制御抵抗Ｒ＿Ｒｂ２が存在する。
したがって、第３キーリターン入力信号線ＫＲ＿３に入力されるスキャン信号は、通常ルートと回り込みルートでは、異なる電圧値（電位差）として検出され、この電圧差から正しい押下判定が可能となる。
【００８１】
次に、図９（ａ）の斜めのハッチングが施されているスイッチＳＷ５、ＳＷ６、ＳＷ７が同時押下されている状況を想定した場合について見てみる。
ここでも、図示を省略しているが第１キースキャン出力信号線ＫＳ＿Ａをスキャンする時には、先ほど説明したのと同様の結果が得られるので正しい判定状態であり、何ら問題はない。
一方、第２キースキャン出力信号線ＫＳ＿Ｂをスキャンする場合には、図９（ａ）に示すように、やはり、第４キーリターン入力信号線ＫＲ＿４に入力されるルートとして２つのルート、つまり、実線で示す通常ルートと点線で示す回り込みルートとが存在する。
【００８２】
しかしながら、本発明の構成では、図９（ｂ）に示すように、通常ルートには、第４信号制御抵抗Ｒ＿ＳＢ２と第６信号制御抵抗Ｒ＿Ｒｂ２が存在し、一方、回り込みルートには、第４信号制御抵抗Ｒ＿ＳＢ２のみが存在する。
したがって、第４キーリターン入力信号線ＫＲ＿４に入力されるスキャン信号は、通常ルートと回り込みルートでは、異なる電圧値（電位差）として検出され、この電圧差から正しい押下判定が可能となる。
【００８３】
以上のように、Ｂブロックにおいても検出不能が回避されており、引き続き、今度は、ＡブロックとＢブロックとに跨って複数（３つ）のスイッチが同時押下されている場合について説明を行う。
【００８４】
最初に、図１０（ａ）の斜めのハッチングが施されているスイッチＳＷ３、ＳＷ５、ＳＷ７が同時押下されている状況を想定して説明を進める。
【００８５】
図１０には図示していないが、第２キースキャン出力信号線ＫＳ＿Ｂをスキャンする場合、つまり、第２キースキャン出力信号線ＫＳ＿Ｂにスキャン信号が出力された場合には、そのスキャン信号の流れ（電圧の変化の流れ）は、スイッチＳＷ３とスイッチＳＷ７を、それぞれ経由してキーリターン入力信号線ＫＲ＿１、ＫＲ＿３に入力されることになる。
【００８６】
この場合には、第２キースキャン出力信号線ＫＳ＿Ｂをスキャンしている時に、押下されているスイッチＳＷ３、ＳＷ７に対応したキーリターン入力信号線ＫＲ＿１、ＫＲ＿３にスキャン信号が入力されることになり、スイッチＳＷ３、ＳＷ７が押下されていると判定される。これは、正しい判定状態であるので何ら問題はない。
【００８７】
一方、図１０（ａ）に示されるように、第１キースキャン出力信号線ＫＳ＿Ａをスキャンするために、第１キースキャン出力信号線ＫＳ＿Ａからスキャン信号を出力（第１キースキャン出力信号線ＫＳ＿Ａの電圧値Ｌｏｗ）すると、第１キーリターン入力信号線ＫＲ＿１にスキャン信号が入力される経路は、スイッチＳＷ１が１つだけ押下された場合と、スイッチＳＷ３、ＳＷ５及びＳＷ７の３つが同時に押下された場合の２通りが考えられる。
【００８８】
まず、通常の１つのスイッチが押下される場合で第１キーリターン入力信号線ＫＲ＿１にスキャン信号が入力されるのは、図１０（ａ）に示す実線の経路を経由する時、つまり、スイッチＳＷ１が押下されている場合である。
一方、図１０（ａ）を見るとわかるとおり、この３つのスイッチＳＷ３、ＳＷ５、ＳＷ７を同時押下した場合には、スキャン信号は、点線で示す経路を経由して第１キーリターン入力信号線ＫＲ＿１に入力される。
【００８９】
今、実際に、押下されているのは、スイッチＳＷ３、ＳＷ５、ＳＷ７であるが、スイッチＳＷ１が押下されているものと同じ回路となり、スイッチＳＷ３、ＳＷ５、ＳＷ７の同時押下なのか、スイッチＳＷ１の１つだけの押下なのか判定ができない（検出不能）ことになる。つまり、Ａブロック及びＢブロックで説明したのと同様の状況が発生する。
【００９０】
しかし、図１０（ｂ）に示す通り、本発明の構成では、通常ルートには、第１信号制御抵抗Ｒ＿ＳＡ１のみが存在し、一方、回り込みルートには、第１信号制御抵抗Ｒ＿ＳＡ１と第４信号制御抵抗Ｒ＿ＳＢ２が存在する。
したがって、第１キーリターン入力信号線ＫＲ＿１に入力されるスキャン信号は、通常ルートと回り込みルートでは、異なる電圧値（電位差）として検出され、この電圧差から正しい押下判定が可能となる。
【００９１】
次に、図１１（ａ）の斜めのハッチングが施されているスイッチＳＷ３、ＳＷ６、ＳＷ８が同時押下されている状況を想定した場合について見てみる。
ここでも、図示を省略しているが第２キースキャン出力信号線ＫＳ＿Ｂをスキャンする時には、先ほど説明したのと同様の結果が得られるので正しい判定状態であり、何ら問題はない。
一方、第１キースキャン出力信号線ＫＳ＿Ａをスキャンする場合には、図１１（ａ）に示すように、やはり、第１キーリターン入力信号線ＫＲ＿１に入力されるルートとして２つのルート、つまり、実線で示す通常ルートと点線で示す回り込みルートとが存在する。
【００９２】
しかしながら、本発明の構成では、図１１（ｂ）に示すように、通常ルートには、第１信号制御抵抗Ｒ＿ＳＡ１のみが存在し、一方、回り込みルートには、第１信号制御抵抗Ｒ＿ＳＡ１と第６信号制御抵抗Ｒ＿Ｒｂ２と第４信号制御抵抗Ｒ＿ＳＢ２が存在する。
したがって、第１キーリターン入力信号線ＫＲ＿１に入力されるスキャン信号は、通常ルートと回り込みルートでは、異なる電圧値（電位差）として検出され、この電圧差から正しい押下判定が可能となる。
【００９３】
次に、図１２（ａ）の斜めのハッチングが施されているスイッチＳＷ４、ＳＷ５、ＳＷ７が同時押下されている状況を想定した場合について見てみる。
ここでも、図示を省略しているが第２キースキャン出力信号線ＫＳ＿Ｂをスキャンする時には、先ほど説明したのと同様の結果が得られるので正しい判定状態であり、何ら問題はない。
一方、第１キースキャン出力信号線ＫＳ＿Ａをスキャンする場合には、図１２（ａ）に示すように、やはり、第２キーリターン入力信号線ＫＲ＿２に入力されるルートとして２つのルート、つまり、実線で示す通常ルートと点線で示す回り込みルートとが存在する。
【００９４】
しかしながら、本発明の構成では、図１２（ｂ）に示すように、通常ルートには、第１信号制御抵抗Ｒ＿ＳＡ１のみが存在し、一方、回り込みルートには、第１信号制御抵抗Ｒ＿ＳＡ１と第４信号制御抵抗Ｒ＿ＳＢ２と第３信号制御抵抗Ｒ＿Ｒａ２が存在する。
したがって、第２キーリターン入力信号線ＫＲ＿２に入力されるスキャン信号は、通常ルートと回り込みルートでは、異なる電圧値（電位差）として検出され、この電圧差から正しい押下判定が可能となる。
【００９５】
次に、図１３（ａ）の斜めのハッチングが施されているスイッチＳＷ４、ＳＷ６、ＳＷ８が同時押下されている状況を想定した場合について見てみる。
ここでも、図示を省略しているが第２キースキャン出力信号線ＫＳ＿Ｂをスキャンする時には、先ほど説明したのと同様の結果が得られるので正しい判定状態であり、何ら問題はない。
一方、第１キースキャン出力信号線ＫＳ＿Ａをスキャンする場合には、図１３（ａ）に示すように、やはり、第２キーリターン入力信号線ＫＲ＿２に入力されるルートとして２つのルート、つまり、実線で示す通常ルートと点線で示す回り込みルートとが存在する。
【００９６】
しかしながら、本発明の構成では、図１３（ｂ）に示すように、通常ルートには、第１信号制御抵抗Ｒ＿ＳＡ１のみが存在し、一方、回り込みルートには、第１信号制御抵抗Ｒ＿ＳＡ１と第６信号制御抵抗Ｒ＿Ｒｂ２と第４信号制御抵抗Ｒ＿ＳＢ２と第３信号制御抵抗Ｒ＿Ｒａ２が存在する。
したがって、第２キーリターン入力信号線ＫＲ＿２に入力されるスキャン信号は、通常ルートと回り込みルートでは、異なる電圧値（電位差）として検出され、この電圧差から正しい押下判定が可能となる。
【００９７】
次に、図１４（ａ）の斜めのハッチングが施されているスイッチＳＷ１、ＳＷ５、ＳＷ７が同時押下されている状況を想定した場合について見てみる。
ここでも、図示を省略しているが第１キースキャン出力信号線ＫＳ＿Ａをスキャンする時には、先ほど説明したのと同様の結果が得られるので正しい判定状態であり、何ら問題はない。
一方、第２キースキャン出力信号線ＫＳ＿Ｂをスキャンする場合には、図１４（ａ）に示すように、やはり、第１キーリターン入力信号線ＫＲ＿１に入力されるルートとして２つのルート、つまり、実線で示す通常ルートと点線で示す回り込みルートとが存在する。
【００９８】
しかしながら、本発明の構成では、図１４（ｂ）に示すように、通常ルートには、信号制御抵抗が存在せず、一方、回り込みルートには、第４信号制御抵抗Ｒ＿ＳＢ２が存在する。
したがって、第１キーリターン入力信号線ＫＲ＿１に入力されるスキャン信号は、通常ルートと回り込みルートでは、異なる電圧値（電位差）として検出され、この電圧差から正しい押下判定が可能となる。
【００９９】
次に、図１５（ａ）の斜めのハッチングが施されているスイッチＳＷ１、ＳＷ６、ＳＷ８が同時押下されている状況を想定した場合について見てみる。
ここでも、図示を省略しているが第１キースキャン出力信号線ＫＳ＿Ａをスキャンする時には、先ほど説明したのと同様の結果が得られるので正しい判定状態であり、何ら問題はない。
一方、第２キースキャン出力信号線ＫＳ＿Ｂをスキャンする場合には、図１５（ａ）に示すように、やはり、第１キーリターン入力信号線ＫＲ＿１に入力されるルートとして２つのルート、つまり、実線で示す通常ルートと点線で示す回り込みルートとが存在する。
【０１００】
しかしながら、本発明の構成では、図１５（ｂ）に示すように、通常ルートには、信号制御抵抗が存在せず、一方、回り込みルートには、第４信号制御抵抗Ｒ＿ＳＢ２と第６信号制御抵抗Ｒ＿Ｒｂ２が存在する。
したがって、第１キーリターン入力信号線ＫＲ＿１に入力されるスキャン信号は、通常ルートと回り込みルートでは、異なる電圧値（電位差）として検出され、この電圧差から正しい押下判定が可能となる。
【０１０１】
次に、図１６（ａ）の斜めのハッチングが施されているスイッチＳＷ２、ＳＷ５、ＳＷ７が同時押下されている状況を想定した場合について見てみる。
ここでも、図示を省略しているが第１キースキャン出力信号線ＫＳ＿Ａをスキャンする時には、先ほど説明したのと同様の結果が得られるので正しい判定状態であり、何ら問題はない。
一方、第２キースキャン出力信号線ＫＳ＿Ｂをスキャンする場合には、図１６（ａ）に示すように、やはり、第２キーリターン入力信号線ＫＲ＿２に入力されるルートとして２つのルート、つまり、実線で示す通常ルートと点線で示す回り込みルートとが存在する。
【０１０２】
そして、本発明の構成では、図１６（ｂ）に示すように、通常ルートには、第３信号制御抵抗Ｒ＿Ｒａ２が存在し、一方、回り込みルートには、第４信号制御抵抗Ｒ＿ＳＢ２が存在するが、第３信号制御抵抗Ｒ＿Ｒａ２と第４信号制御抵抗Ｒ＿ＳＢ２が同じ抵抗値である場合には、通常ルートと回り込みルートで異なる電圧値（電位差）が検出できないことになる。
しかし、第３信号制御抵抗Ｒ＿Ｒａ２と第４信号制御抵抗Ｒ＿ＳＢ２で異なる抵抗値を有するようにしておけば、第２キーリターン入力信号線ＫＲ＿２に入力されるスキャン信号は、通常ルートと回り込みルートでは異なる電圧値（電位差）として検出されるため、検出不能が回避できる。
【０１０３】
次に、図１７（ａ）の斜めのハッチングが施されているスイッチＳＷ２、ＳＷ６、ＳＷ８が同時押下されている状況を想定した場合について見てみる。
ここでも、図示を省略しているが第１キースキャン出力信号線ＫＳ＿Ａをスキャンする時には、先ほど説明したのと同様の結果が得られるので正しい判定状態であり、何ら問題はない。
一方、第２キースキャン出力信号線ＫＳ＿Ｂをスキャンする場合には、図１７（ａ）に示すように、やはり、第２キーリターン入力信号線ＫＲ＿２に入力されるルートとして２つのルート、つまり、実線で示す通常ルートと点線で示す回り込みルートとが存在する。
【０１０４】
そして、本発明の構成では、図１７（ｂ）に示すように、通常ルートには、第３信号制御抵抗Ｒ＿Ｒａ２のみが存在し、一方、回り込みルートには、第４信号制御抵抗Ｒ＿ＳＢ２と第６信号制御抵抗Ｒ＿Ｒｂ２が存在するが、第３信号制御抵抗Ｒ＿Ｒａ２の抵抗値と、第４信号制御抵抗Ｒ＿ＳＢ２及び第６信号制御抵抗Ｒ＿Ｒｂ２の抵抗値を合わせた合成抵抗値が同じ場合には、通常ルートと回り込みルートで異なる電圧値（電位差）が検出できないことになる。
しかし、例えば、ＡブロックとＢブロックを見比べたときに、同様の位置に位置することになる第３信号制御抵抗Ｒ＿Ｒａ２と第６信号制御抵抗Ｒ＿Ｒｂ２の抵抗値を同じにしておけば、第３信号制御抵抗Ｒ＿Ｒａ２の抵抗値と、第４信号制御抵抗Ｒ＿ＳＢ２及び第６信号制御抵抗Ｒ＿Ｒｂ２の抵抗値を合わせた合成抵抗値が同じになることがなく、第２キーリターン入力信号線ＫＲ＿２に入力されるスキャン信号は、通常ルートと回り込みルートでは異なる電圧値（電位差）として検出されるため、検出不能が回避できる。
【０１０５】
次に、図１８（ａ）の斜めのハッチングが施されているスイッチＳＷ１、ＳＷ３、ＳＷ７が同時押下されている状況を想定した場合について見てみる。
ここでも、図示を省略しているが第２キースキャン出力信号線ＫＳ＿Ｂをスキャンする時には、先ほど説明したのと同様の結果が得られるので正しい判定状態であり、何ら問題はない。
一方、第１キースキャン出力信号線ＫＳ＿Ａをスキャンする場合には、図１８（ａ）に示すように、やはり、第３キーリターン入力信号線ＫＲ＿３に入力されるルートとして２つのルート、つまり、実線で示す通常ルートと点線で示す回り込みルートとが存在する。
【０１０６】
しかしながら、本発明の構成では、図１８（ｂ）に示すように、通常ルートには、第１信号制御抵抗Ｒ＿ＳＡ１のみが存在し、一方、回り込みルートには、第１信号制御抵抗Ｒ＿ＳＡ１と第４信号制御抵抗Ｒ＿ＳＢ２が存在する。
したがって、第３キーリターン入力信号線ＫＲ＿３に入力されるスキャン信号は、通常ルートと回り込みルートでは、異なる電圧値（電位差）として検出され、この電圧差から正しい押下判定が可能となる。
【０１０７】
次に、図１９（ａ）の斜めのハッチングが施されているスイッチＳＷ２、ＳＷ４、ＳＷ７が同時押下されている状況を想定した場合について見てみる。
ここでも、図示を省略しているが第２キースキャン出力信号線ＫＳ＿Ｂをスキャンする時には、先ほど説明したのと同様の結果が得られるので正しい判定状態であり、何ら問題はない。
一方、第１キースキャン出力信号線ＫＳ＿Ａをスキャンする場合には、図１９（ａ）に示すように、やはり、第３キーリターン入力信号線ＫＲ＿３に入力されるルートとして２つのルート、つまり、実線で示す通常ルートと点線で示す回り込みルートとが存在する。
【０１０８】
しかしながら、本発明の構成では、図１９（ｂ）に示すように、通常ルートには、第１信号制御抵抗Ｒ＿ＳＡ１のみが存在し、一方、回り込みルートには、第１信号制御抵抗Ｒ＿ＳＡ１と第３信号制御抵抗Ｒ＿Ｒａ２と第４信号制御抵抗Ｒ＿ＳＢ２が存在する。
したがって、第３キーリターン入力信号線ＫＲ＿３に入力されるスキャン信号は、通常ルートと回り込みルートでは、異なる電圧値（電位差）として検出され、この電圧差から正しい押下判定が可能となる。
【０１０９】
次に、図２０（ａ）の斜めのハッチングが施されているスイッチＳＷ１、ＳＷ３、ＳＷ８が同時押下されている状況を想定した場合について見てみる。
ここでも、図示を省略しているが第２キースキャン出力信号線ＫＳ＿Ｂをスキャンする時には、先ほど説明したのと同様の結果が得られるので正しい判定状態であり、何ら問題はない。
一方、第１キースキャン出力信号線ＫＳ＿Ａをスキャンする場合には、図２０（ａ）に示すように、やはり、第４キーリターン入力信号線ＫＲ＿４に入力されるルートとして２つのルート、つまり、実線で示す通常ルートと点線で示す回り込みルートとが存在する。
【０１１０】
しかしながら、本発明の構成では、図２０（ｂ）に示すように、通常ルートには、第１信号制御抵抗Ｒ＿ＳＡ１のみが存在し、一方、回り込みルートには、第１信号制御抵抗Ｒ＿ＳＡ１と第４信号制御抵抗Ｒ＿ＳＢ２と第６信号制御抵抗Ｒ＿Ｒｂ２が存在する。
したがって、第４キーリターン入力信号線ＫＲ＿４に入力されるスキャン信号は、通常ルートと回り込みルートでは、異なる電圧値（電位差）として検出され、この電圧差から正しい押下判定が可能となる。
【０１１１】
次に、図２１（ａ）の斜めのハッチングが施されているスイッチＳＷ２、ＳＷ４、ＳＷ８が同時押下されている状況を想定した場合について見てみる。
ここでも、図示を省略しているが第２キースキャン出力信号線ＫＳ＿Ｂをスキャンする時には、先ほど説明したのと同様の結果が得られるので正しい判定状態であり、何ら問題はない。
一方、第１キースキャン出力信号線ＫＳ＿Ａをスキャンする場合には、図２１（ａ）に示すように、やはり、第４キーリターン入力信号線ＫＲ＿４に入力されるルートとして２つのルート、つまり、実線で示す通常ルートと点線で示す回り込みルートとが存在する。
【０１１２】
しかしながら、本発明の構成では、図２１（ｂ）に示すように、通常ルートには、第１信号制御抵抗Ｒ＿ＳＡ１のみが存在し、一方、回り込みルートには、第１信号制御抵抗Ｒ＿ＳＡ１と第３信号制御抵抗Ｒ＿Ｒａ２と第４信号制御抵抗Ｒ＿ＳＢ２と第６信号制御抵抗Ｒ＿Ｒｂ２が存在する。
したがって、第４キーリターン入力信号線ＫＲ＿４に入力されるスキャン信号は、通常ルートと回り込みルートでは、異なる電圧値（電位差）として検出され、この電圧差から正しい押下判定が可能となる。
【０１１３】
次に、図２２（ａ）の斜めのハッチングが施されているスイッチＳＷ１、ＳＷ３、ＳＷ５が同時押下されている状況を想定した場合について見てみる。
ここでも、図示を省略しているが第１キースキャン出力信号線ＫＳ＿Ａをスキャンする時には、先ほど説明したのと同様の結果が得られるので正しい判定状態であり、何ら問題はない。
一方、第２キースキャン出力信号線ＫＳ＿Ｂをスキャンする場合には、図２２（ａ）に示すように、やはり、第３キーリターン入力信号線ＫＲ＿３に入力されるルートとして２つのルート、つまり、実線で示す通常ルートと点線で示す回り込みルートとが存在する。
【０１１４】
しかしながら、本発明の構成では、図２２（ｂ）に示すように、通常ルートには、第４信号制御抵抗Ｒ＿ＳＢ２が存在し、一方、回り込みルートには、信号制御抵抗が存在しない。
したがって、第３キーリターン入力信号線ＫＲ＿３に入力されるスキャン信号は、通常ルートと回り込みルートでは、異なる電圧値（電位差）として検出され、この電圧差から正しい押下判定が可能となる。
【０１１５】
次に、図２３（ａ）の斜めのハッチングが施されているスイッチＳＷ２、ＳＷ４、ＳＷ５が同時押下されている状況を想定した場合について見てみる。
ここでも、図示を省略しているが第１キースキャン出力信号線ＫＳ＿Ａをスキャンする時には、先ほど説明したのと同様の結果が得られるので正しい判定状態であり、何ら問題はない。
一方、第２キースキャン出力信号線ＫＳ＿Ｂをスキャンする場合には、図２３（ａ）に示すように、やはり、第３キーリターン入力信号線ＫＲ＿３に入力されるルートとして２つのルート、つまり、実線で示す通常ルートと点線で示す回り込みルートとが存在する。
【０１１６】
しかしながら、本発明の構成では、図２３（ｂ）に示すように、通常ルートには、第４信号制御抵抗Ｒ＿ＳＢ２が存在し、一方、回り込みルートには、第３信号制御抵抗Ｒ＿Ｒａ２が存在するが、第４信号制御抵抗Ｒ＿ＳＢ２の抵抗値と第３信号制御抵抗Ｒ＿Ｒａ２の抵抗値が同じ抵抗値である場合には、通常ルートと回り込みルートで異なる電圧値（電位差）が検出できないことになる。
【０１１７】
しかしながら、図１６を参照して説明したように、第３信号制御抵抗Ｒ＿Ｒａ２と第４信号制御抵抗Ｒ＿ＳＢ２で異なる抵抗値を有するようにし、かつ、図１７を参照して説明したように、ＡブロックとＢブロックを見比べたときに、同様の位置に位置することになる第３信号制御抵抗Ｒ＿Ｒａ２と第６信号制御抵抗Ｒ＿Ｒｂ２の抵抗値を同じにしておくことを行えば、第４信号制御抵抗Ｒ＿ＳＢ２の抵抗値と、第３信号制御抵抗Ｒ＿Ｒａ２の抵抗値及び第６信号制御抵抗Ｒ＿Ｒｂ２の抵抗値とは異なる抵抗値を有することになるので、第３キーリターン入力信号線ＫＲ＿３に入力されるスキャン信号は、通常ルートと回り込みルートでは異なる電圧値（電位差）として検出され、この電圧差から正しい押下判定が可能となる。
【０１１８】
次に、図２４（ａ）の斜めのハッチングが施されているスイッチＳＷ１、ＳＷ３、ＳＷ６が同時押下されている状況を想定した場合について見てみる。
ここでも、図示を省略しているが第１キースキャン出力信号線ＫＳ＿Ａをスキャンする時には、先ほど説明したのと同様の結果が得られるので正しい判定状態であり、何ら問題はない。
一方、第２キースキャン出力信号線ＫＳ＿Ｂをスキャンする場合には、図２４（ａ）に示すように、やはり、第４キーリターン入力信号線ＫＲ＿４に入力されるルートとして２つのルート、つまり、実線で示す通常ルートと点線で示す回り込みルートとが存在する。
【０１１９】
しかしながら、本発明の構成では、図２４（ｂ）に示すように、通常ルートには、第４信号制御抵抗Ｒ＿ＳＢ２と第６信号制御抵抗Ｒ＿Ｒｂ２が存在し、一方、回り込みルートには、信号制御抵抗が存在しない。
したがって、第４キーリターン入力信号線ＫＲ＿４に入力されるスキャン信号は、通常ルートと回り込みルートでは、異なる電圧値（電位差）として検出され、この電圧差から正しい押下判定が可能となる。
【０１２０】
次に、図２５（ａ）の斜めのハッチングが施されているスイッチＳＷ２、ＳＷ４、ＳＷ６が同時押下されている状況を想定した場合について見てみる。
ここでも、図示を省略しているが第１キースキャン出力信号線ＫＳ＿Ａをスキャンする時には、先ほど説明したのと同様の結果が得られるので正しい判定状態であり、何ら問題はない。
一方、第２キースキャン出力信号線ＫＳ＿Ｂをスキャンする場合には、図２５（ａ）に示すように、やはり、第４キーリターン入力信号線ＫＲ＿４に入力されるルートとして２つのルート、つまり、実線で示す通常ルートと点線で示す回り込みルートとが存在する。
【０１２１】
しかしながら、本発明の構成では、図２５（ｂ）に示すように、通常ルートには、第４信号制御抵抗Ｒ＿ＳＢ２と第６信号制御抵抗Ｒ＿Ｒｂ２が存在し、一方、回り込みルートには、第３信号制御抵抗Ｒ＿Ｒａ２が存在する。
したがって、第４キーリターン入力信号線ＫＲ＿４に入力されるスキャン信号は、通常ルートと回り込みルートでは、異なる電圧値（電位差）として検出され、この電圧差から正しい押下判定が可能となる。
【０１２２】
以上のように、Ａブロック内、Ｂブロック内及びＡブロックとＢブロックを跨ぐ場合の同時押下があったとしても、信号制御抵抗の一部を異なる抵抗値、例えば、第１キースキャン出力信号線ＫＳ＿Ａ及び第２キースキャン出力信号線ＫＳ＿Ｂ上に位置する第１信号制御抵抗Ｒ＿ＳＡ１及び第４信号制御抵抗Ｒ＿ＳＢ２の抵抗値を抵抗値Ｘとしたときに、第１キーリターン入力信号線ＫＲ＿１、第２キーリターン入力信号線ＫＲ＿２、第３キーリターン入力信号線ＫＲ＿３及び第４キーリターン入力信号線ＫＲ＿４上に位置する第２信号制御抵抗Ｒ＿Ｒａ１、第３信号制御抵抗Ｒ＿Ｒａ２、第５信号制御抵抗Ｒ＿Ｒｂ１及び第６信号制御抵抗Ｒ＿Ｒｂ２の抵抗値を抵抗値Ｘと異なる抵抗値Ｙとしておけばこの電圧差から正しい押下判定が可能となる。
【０１２３】
そして、第１方向にＡブロック及びＢブロックが繰り返される場合は、上記で見てきた状態が繰り返されるだけであるため、同様に検出不能を回避することができる。
【０１２４】
先に触れたように、ＡブロックとＣブロックは構成上同じ構成になっており、ＢブロックとＤブロックは構成上同じ構成になっているため、Ｃブロック内、Ｄブロック内及びＣブロックとＤブロックを跨ぐ場合は、先に説明したのと同様であるため、説明を省略し、ＡブロックとＣブロックとに跨って複数（３つ）のスイッチが同時押下されている場合についての説明から行うこととする。
【０１２５】
なお、以下では、説明がわかりやすいように、Ｃブロックのスイッチに関して、スイッチＳＷ９、ＳＷ１０、ＳＷ１１及びＳＷ１２との符号を付しているが、ＣブロックはＡブロックを第２方向に１回繰り返したものになっているため、Ａブロックの構成を基本構成として、この基本構成の繰り返しという視点で見れば、スイッチＳＷ９、ＳＷ１０、ＳＷ１１及びＳＷ１２は基本構成のスイッチＳＷ１、ＳＷ２、ＳＷ３及びＳＷ４と見ることができる。
【０１２６】
また、同様に、第３キースキャン出力信号線ＫＳ＿Ｃ及び第４キースキャン出力信号線ＫＳ＿Ｄは基本構成の第１キースキャン出力信号線ＫＳ＿Ａ及び第２キースキャン出力信号線ＫＳ＿Ｂと見ることができ、第７信号制御抵抗Ｒ＿ＳＣ１、第８信号制御抵抗Ｒ＿Ｒｃ１、第９信号制御抵抗Ｒ＿Ｒｃ２は基本構成の第１信号制御抵抗Ｒ＿ＳＡ１、第２信号制御抵抗Ｒ＿Ｒａ１、第３信号制御抵抗Ｒ＿Ｒａ２と見ることができる。
【０１２７】
最初に、図２６（ａ）の斜めのハッチングが施されているスイッチＳＷ２、ＳＷ９、ＳＷ１０が同時押下されている状況を想定して説明を進める。
【０１２８】
図２６には図示していないが、第３キースキャン出力信号線ＫＳ＿Ｃをスキャンする場合、つまり、第３キースキャン出力信号線ＫＳ＿Ｃにスキャン信号が出力された場合には、そのスキャン信号の出力は、スイッチＳＷ９とスイッチＳＷ１０を、それぞれ経由してキーリターン入力信号線ＫＲ＿１、ＫＲ＿２に入力されることになる。
【０１２９】
この場合には、第３キースキャン出力信号線ＫＳ＿Ｃをスキャンしている時に、押下されているスイッチＳＷ９、ＳＷ１０に対応したキーリターン入力信号線ＫＲ＿１、ＫＲ＿２にスキャン信号が入力されることになり、スイッチＳＷ９、ＳＷ１０が押下されていると判定される。これは、正しい判定状態であるので何ら問題はない。
【０１３０】
一方、図２６（ａ）に示されるように、第１キースキャン出力信号線ＫＳ＿Ａをスキャンするために、第１キースキャン出力信号線ＫＳ＿Ａからスキャン信号を出力（第１キースキャン出力信号線ＫＳ＿Ａの電圧値Ｌｏｗ）すると、第１キーリターン入力信号線ＫＲ＿１にスキャン信号が入力される経路は、スイッチＳＷ１が１つだけ押下された場合と、スイッチＳＷ２、ＳＷ９及びＳＷ１０の３つが同時に押下された場合の２通りが考えられる。
【０１３１】
まず、通常の１つのスイッチが押下される場合で第１キーリターン入力信号線ＫＲ＿１にスキャン信号が入力されるのは、図２６（ａ）に示す実線の経路を経由する時、つまり、スイッチＳＷ１が押下されている場合である。
一方、図２６（ａ）を見るとわかるとおり、この３つのスイッチＳＷ２、ＳＷ９、ＳＷ１０を同時押下した場合には、スキャン信号は、点線で示す経路を経由して第１キーリターン入力信号線ＫＲ＿１に入力される。
【０１３２】
今、実際に、押下されているのは、スイッチＳＷ２、ＳＷ９、ＳＷ１０であるが、スイッチＳＷ１が押下されているものと同じ回路となり、スイッチＳＷ２、ＳＷ９、ＳＷ１０の同時押下なのか、スイッチＳＷ１の１つだけの押下なのか判定ができない（検出不能）ことになる。つまり、これまで説明してきたのと同様の状況が発生する。
【０１３３】
しかし、図２６（ｂ）に示す通り、本発明の構成では、通常ルートには、第１信号制御抵抗Ｒ＿ＳＡ１のみが存在し、一方、回り込みルートには、第１信号制御抵抗Ｒ＿ＳＡ１と第３信号制御抵抗Ｒ＿Ｒａ２と第２信号制御抵抗Ｒ＿Ｒａ１が存在する。
したがって、第１キーリターン入力信号線ＫＲ＿１に入力されるスキャン信号は、通常ルートと回り込みルートでは、異なる電圧値（電位差）として検出され、この電圧差から正しい押下判定が可能となる。
【０１３４】
次に、図２７（ａ）の斜めのハッチングが施されているスイッチＳＷ２、ＳＷ１１、ＳＷ１２が同時押下されている状況を想定した場合について見てみる。
ここでも、図示を省略しているが第４キースキャン出力信号線ＫＳ＿Ｄをスキャンする時には、先ほど説明したのと同様の結果が得られるので正しい判定状態であり、何ら問題はない。
一方、第１キースキャン出力信号線ＫＳ＿Ａをスキャンする場合には、図２７（ａ）に示すように、やはり、第１キーリターン入力信号線ＫＲ＿１に入力されるルートとして２つのルート、つまり、実線で示す通常ルートと点線で示す回り込みルートとが存在する。
【０１３５】
しかしながら、本発明の構成では、図２７（ｂ）に示すように、通常ルートには、第１信号制御抵抗Ｒ＿ＳＡ１のみが存在し、一方、回り込みルートには、第１信号制御抵抗Ｒ＿ＳＡ１と第３信号制御抵抗Ｒ＿Ｒａ２と第９信号制御抵抗Ｒ＿Ｒｃ２と第２信号制御抵抗Ｒ＿Ｒａ１が存在する。
したがって、第１キーリターン入力信号線ＫＲ＿１に入力されるスキャン信号は、通常ルートと回り込みルートでは、異なる電圧値（電位差）として検出され、この電圧差から正しい押下判定が可能となる。
【０１３６】
次に、図２８（ａ）の斜めのハッチングが施されているスイッチＳＷ１、ＳＷ９、ＳＷ１０が同時押下されている状況を想定した場合について見てみる。
ここでも、図示を省略しているが第３キースキャン出力信号線ＫＳ＿Ｃをスキャンする時には、先ほど説明したのと同様の結果が得られるので正しい判定状態であり、何ら問題はない。
一方、第１キースキャン出力信号線ＫＳ＿Ａをスキャンする場合には、図２８（ａ）に示すように、やはり、第２キーリターン入力信号線ＫＲ＿２に入力されるルートとして２つのルート、つまり、実線で示す通常ルートと点線で示す回り込みルートとが存在する。
【０１３７】
しかしながら、本発明の構成では、図２８（ｂ）に示すように、通常ルートには、第１信号制御抵抗Ｒ＿ＳＡ１のみが存在し、一方、回り込みルートには、第１信号制御抵抗Ｒ＿ＳＡ１と第２信号制御抵抗Ｒ＿Ｒａ１と第３信号制御抵抗Ｒ＿Ｒａ２が存在する。
したがって、第２キーリターン入力信号線ＫＲ＿２に入力されるスキャン信号は、通常ルートと回り込みルートでは、異なる電圧値（電位差）として検出され、この電圧差から正しい押下判定が可能となる。
【０１３８】
次に、図２９（ａ）の斜めのハッチングが施されているスイッチＳＷ１、ＳＷ１１、ＳＷ１２が同時押下されている状況を想定した場合について見てみる。
ここでも、図示を省略しているが第４キースキャン出力信号線ＫＳ＿Ｄをスキャンする時には、先ほど説明したのと同様の結果が得られるので正しい判定状態であり、何ら問題はない。
一方、第１キースキャン出力信号線ＫＳ＿Ａをスキャンする場合には、図２９（ａ）に示すように、やはり、第２キーリターン入力信号線ＫＲ＿２に入力されるルートとして２つのルート、つまり、実線で示す通常ルートと点線で示す回り込みルートとが存在する。
【０１３９】
しかしながら、本発明の構成では、図２９（ｂ）に示すように、通常ルートには、第１信号制御抵抗Ｒ＿ＳＡ１のみが存在し、一方、回り込みルートには、第１信号制御抵抗Ｒ＿ＳＡ１と第２信号制御抵抗Ｒ＿Ｒａ１と第９信号制御抵抗Ｒ＿Ｒｃ２と第３信号制御抵抗Ｒ＿Ｒａ２が存在する。
したがって、第２キーリターン入力信号線ＫＲ＿２に入力されるスキャン信号は、通常ルートと回り込みルートでは、異なる電圧値（電位差）として検出され、この電圧差から正しい押下判定が可能となる。
【０１４０】
次に、図３０（ａ）の斜めのハッチングが施されているスイッチＳＷ４、ＳＷ９、ＳＷ１０が同時押下されている状況を想定した場合について見てみる。
ここでも、図示を省略しているが第３キースキャン出力信号線ＫＳ＿Ｃをスキャンする時には、先ほど説明したのと同様の結果が得られるので正しい判定状態であり、何ら問題はない。
一方、第２キースキャン出力信号線ＫＳ＿Ｂをスキャンする場合には、図３０（ａ）に示すように、やはり、第１キーリターン入力信号線ＫＲ＿１に入力されるルートとして２つのルート、つまり、実線で示す通常ルートと点線で示す回り込みルートとが存在する。
【０１４１】
しかしながら、本発明の構成では、図３０（ｂ）に示すように、通常ルートには、信号制御抵抗が存在せず、一方、回り込みルートには、第２信号制御抵抗Ｒ＿Ｒａ１が存在する。
したがって、第１キーリターン入力信号線ＫＲ＿１に入力されるスキャン信号は、通常ルートと回り込みルートでは、異なる電圧値（電位差）として検出され、この電圧差から正しい押下判定が可能となる。
【０１４２】
次に、図３１（ａ）の斜めのハッチングが施されているスイッチＳＷ４、ＳＷ１１、ＳＷ１２が同時押下されている状況を想定した場合について見てみる。
ここでも、図示を省略しているが第４キースキャン出力信号線ＫＳ＿Ｄをスキャンする時には、先ほど説明したのと同様の結果が得られるので正しい判定状態であり、何ら問題はない。
一方、第２キースキャン出力信号線ＫＳ＿Ｂをスキャンする場合には、図３１（ａ）に示すように、やはり、第１キーリターン入力信号線ＫＲ＿１に入力されるルートとして２つのルート、つまり、実線で示す通常ルートと点線で示す回り込みルートとが存在する。
【０１４３】
しかしながら、本発明の構成では、図３１（ｂ）に示すように、通常ルートには、信号制御抵抗が存在せず、一方、回り込みルートには、第９信号制御抵抗Ｒ＿Ｒｃ２と第２信号制御抵抗Ｒ＿Ｒａ１が存在する。
したがって、第１キーリターン入力信号線ＫＲ＿１に入力されるスキャン信号は、通常ルートと回り込みルートでは、異なる電圧値（電位差）として検出され、この電圧差から正しい押下判定が可能となる。
【０１４４】
次に、図３２（ａ）の斜めのハッチングが施されているスイッチＳＷ３、ＳＷ９、ＳＷ１０が同時押下されている状況を想定した場合について見てみる。
ここでも、図示を省略しているが第３キースキャン出力信号線ＫＳ＿Ｃをスキャンする時には、先ほど説明したのと同様の結果が得られるので正しい判定状態であり、何ら問題はない。
一方、第２キースキャン出力信号線ＫＳ＿Ｂをスキャンする場合には、図３２（ａ）に示すように、やはり、第２キーリターン入力信号線ＫＲ＿２に入力されるルートとして２つのルート、つまり、実線で示す通常ルートと点線で示す回り込みルートとが存在する。
【０１４５】
しかしながら、本発明の構成では、図３２（ｂ）に示すように、通常ルートには、第３信号制御抵抗Ｒ＿Ｒａ２が存在し、一方、回り込みルートには、第２信号制御抵抗Ｒ＿Ｒａ１と第３信号制御抵抗Ｒ＿Ｒａ２が存在する。
したがって、第２キーリターン入力信号線ＫＲ＿２に入力されるスキャン信号は、通常ルートと回り込みルートでは、異なる電圧値（電位差）として検出され、この電圧差から正しい押下判定が可能となる。
【０１４６】
次に、図３３（ａ）の斜めのハッチングが施されているスイッチＳＷ３、ＳＷ１１、ＳＷ１２が同時押下されている状況を想定した場合について見てみる。
ここでも、図示を省略しているが第４キースキャン出力信号線ＫＳ＿Ｄをスキャンする時には、先ほど説明したのと同様の結果が得られるので正しい判定状態であり、何ら問題はない。
一方、第２キースキャン出力信号線ＫＳ＿Ｂをスキャンする場合には、図３３（ａ）に示すように、やはり、第２キーリターン入力信号線ＫＲ＿２に入力されるルートとして２つのルート、つまり、実線で示す通常ルートと点線で示す回り込みルートとが存在する。
【０１４７】
しかしながら、本発明の構成では、図３３（ｂ）に示すように、通常ルートには、第３信号制御抵抗Ｒ＿Ｒａ２が存在し、一方、回り込みルートには、第２信号制御抵抗Ｒ＿Ｒａ１と第９信号制御抵抗Ｒ＿Ｒｃ２と第３信号制御抵抗Ｒ＿Ｒａ２が存在する。
したがって、第２キーリターン入力信号線ＫＲ＿２に入力されるスキャン信号は、通常ルートと回り込みルートでは、異なる電圧値（電位差）として検出され、この電圧差から正しい押下判定が可能となる。
【０１４８】
次に、図３４（ａ）の斜めのハッチングが施されているスイッチＳＷ１、ＳＷ２、ＳＷ１０が同時押下されている状況を想定した場合について見てみる。
ここでも、図示を省略しているが第１キースキャン出力信号線ＫＳ＿Ａをスキャンする時には、先ほど説明したのと同様の結果が得られるので正しい判定状態であり、何ら問題はない。
一方、第３キースキャン出力信号線ＫＳ＿Ｃをスキャンする場合には、図３４（ａ）に示すように、やはり、第１キーリターン入力信号線ＫＲ＿１に入力されるルートとして２つのルート、つまり、実線で示す通常ルートと点線で示す回り込みルートとが存在する。
【０１４９】
そして、本発明の構成では、図３４（ｂ）に示すように、通常ルートには、第７信号制御抵抗Ｒ＿ＳＣ１と第２信号制御抵抗Ｒ＿Ｒａ１が存在し、一方、回り込みルートには、第７信号制御抵抗Ｒ＿ＳＣ１と第３信号制御抵抗Ｒ＿Ｒａ２が存在する。
【０１５０】
先のＡブロック及びＢブロックでの構成では、第２信号制御抵抗Ｒ＿Ｒａ１と第３信号制御抵抗Ｒ＿Ｒａ２は同じ抵抗値でも問題はないが、Ｃブロックのように、Ａブロックと同様の構成が第２方向に繰り返される場合、第２信号制御抵抗Ｒ＿Ｒａ１と第３信号制御抵抗Ｒ＿Ｒａ２は同じ抵抗値であると、第７信号制御抵抗Ｒ＿ＳＣ１と第２信号制御抵抗Ｒ＿Ｒａ１の合成抵抗値は、第７信号制御抵抗Ｒ＿ＳＣ１と第３信号制御抵抗Ｒ＿Ｒａ２の合成抵抗値と同じになり、通常ルートと回り込みルートで異なる電圧値（電位差）が検出できないことになる。
【０１５１】
したがって、Ａブロックの構成を基本構成として、Ｃブロックのように、この基本構成を第２方向に繰り返し設ける場合、例えば、第３信号制御抵抗Ｒ＿Ｒａ２を先に述べた抵抗値Ｙとしたときに、第２信号制御抵抗Ｒ＿Ｒａ１との抵抗値を先に述べた抵抗値Ｘ及び抵抗値Ｙと異なる抵抗値Ｚとしておけば、第１キーリターン入力信号線ＫＲ＿１に入力されるスキャン信号は、通常ルートと回り込みルートでは異なる電圧値（電位差）として検出されるため、この電圧差から正しい押下判定が可能となる。
【０１５２】
次に、図３５（ａ）の斜めのハッチングが施されているスイッチＳＷ３、ＳＷ４、ＳＷ１０が同時押下されている状況を想定した場合について見てみる。
ここでも、図示を省略しているが第２キースキャン出力信号線ＫＳ＿Ｂをスキャンする時には、先ほど説明したのと同様の結果が得られるので正しい判定状態であり、何ら問題はない。
一方、第３キースキャン出力信号線ＫＳ＿Ｃをスキャンする場合には、図３５（ａ）に示すように、やはり、第１キーリターン入力信号線ＫＲ＿１に入力されるルートとして２つのルート、つまり、実線で示す通常ルートと点線で示す回り込みルートとが存在する。
【０１５３】
しかしながら、本発明の構成では、図３５（ｂ）に示すように、通常ルートには、第７信号制御抵抗Ｒ＿ＳＣ１と第２信号制御抵抗Ｒ＿Ｒａ１が存在し、一方、回り込みルートには、第７信号制御抵抗Ｒ＿ＳＣ１のみが存在する。
したがって、第１キーリターン入力信号線ＫＲ＿１に入力されるスキャン信号は、通常ルートと回り込みルートでは、異なる電圧値（電位差）として検出され、この電圧差から正しい押下判定が可能となる。
【０１５４】
次に、図３６（ａ）の斜めのハッチングが施されているスイッチＳＷ１、ＳＷ２、ＳＷ９が同時押下されている状況を想定した場合について見てみる。
ここでも、図示を省略しているが第１キースキャン出力信号線ＫＳ＿Ａをスキャンする時には、先ほど説明したのと同様の結果が得られるので正しい判定状態であり、何ら問題はない。
一方、第３キースキャン出力信号線ＫＳ＿Ｃをスキャンする場合には、図３６（ａ）に示すように、やはり、第２キーリターン入力信号線ＫＲ＿２に入力されるルートとして２つのルート、つまり、実線で示す通常ルートと点線で示す回り込みルートとが存在する。
【０１５５】
しかしながら、本発明の構成では、図３６（ｂ）に示すように、通常ルートには、第７信号制御抵抗Ｒ＿ＳＣ１と第３信号制御抵抗Ｒ＿Ｒａ２が存在し、一方、回り込みルートには、第７信号制御抵抗Ｒ＿ＳＣ１と第２信号制御抵抗Ｒ＿Ｒａ１が存在し、第３信号制御抵抗Ｒ＿Ｒａ２と第２信号制御抵抗Ｒ＿Ｒａ１を異なる抵抗値にすることは先に述べたとおりである。
したがって、第２キーリターン入力信号線ＫＲ＿２に入力されるスキャン信号は、通常ルートと回り込みルートでは異なる電圧値（電位差）として検出され、この電圧差から正しい押下判定が可能となる。
【０１５６】
次に、図３７（ａ）の斜めのハッチングが施されているスイッチＳＷ３、ＳＷ４、ＳＷ９が同時押下されている状況を想定した場合について見てみる。
ここでも、図示を省略しているが第２キースキャン出力信号線ＫＳ＿Ｂをスキャンする時には、先ほど説明したのと同様の結果が得られるので正しい判定状態であり、何ら問題はない。
一方、第３キースキャン出力信号線ＫＳ＿Ｃをスキャンする場合には、図３７（ａ）に示すように、やはり、第２キーリターン入力信号線ＫＲ＿２に入力されるルートとして２つのルート、つまり、実線で示す通常ルートと点線で示す回り込みルートとが存在する。
【０１５７】
しかしながら、本発明の構成では、図３７（ｂ）に示すように、通常ルートには、第７信号制御抵抗Ｒ＿ＳＣ１と第３信号制御抵抗Ｒ＿Ｒａ２が存在し、一方、回り込みルートには、第７信号制御抵抗Ｒ＿ＳＣ１と第２信号制御抵抗Ｒ＿Ｒａ１と第３信号制御抵抗Ｒ＿Ｒａ２が存在する。
したがって、第２キーリターン入力信号線ＫＲ＿２に入力されるスキャン信号は、通常ルートと回り込みルートでは、異なる電圧値（電位差）として検出され、この電圧差から正しい押下判定が可能となる。
【０１５８】
次に、図３８（ａ）の斜めのハッチングが施されているスイッチＳＷ１、ＳＷ２、ＳＷ１２が同時押下されている状況を想定した場合について見てみる。
ここでも、図示を省略しているが第１キースキャン出力信号線ＫＳ＿Ａをスキャンする時には、先ほど説明したのと同様の結果が得られるので正しい判定状態であり、何ら問題はない。
一方、第４キースキャン出力信号線ＫＳ＿Ｄをスキャンする場合には、図３８（ａ）に示すように、やはり、第１キーリターン入力信号線ＫＲ＿１に入力されるルートとして２つのルート、つまり、実線で示す通常ルートと点線で示す回り込みルートとが存在する。
【０１５９】
しかしながら、本発明の構成では、図３８（ｂ）に示すように、通常ルートには、第２信号制御抵抗Ｒ＿Ｒａ１のみが存在し、一方、回り込みルートには、第９信号制御抵抗Ｒ＿Ｒｃ２と第３信号制御抵抗Ｒ＿Ｒａ２が存在するが、第９信号制御抵抗Ｒ＿Ｒｃ２（Ａブロックを基本構成としたときの第３信号制御抵抗Ｒ＿Ｒａ２）と第３信号制御抵抗Ｒ＿Ｒａ２の合成抵抗が第２信号制御抵抗Ｒ＿Ｒａ１の抵抗値と異なるものになっていれば、第１キーリターン入力信号線ＫＲ＿１に入力されるスキャン信号は、通常ルートと回り込みルートでは異なる電圧値（電位差）として検出され、この電圧差から正しい押下判定が可能となる。
したがって、先ほど述べた抵抗値Ｙを基準として抵抗値Ｚが２倍の抵抗値Ｙとならないようにしておけばよい。
【０１６０】
次に、図３９（ａ）の斜めのハッチングが施されているスイッチＳＷ３、ＳＷ４、ＳＷ１２が同時押下されている状況を想定した場合について見てみる。
ここでも、図示を省略しているが第２キースキャン出力信号線ＫＳ＿Ｂをスキャンする時には、先ほど説明したのと同様の結果が得られるので正しい判定状態であり、何ら問題はない。
一方、第４キースキャン出力信号線ＫＳ＿Ｄをスキャンする場合には、図３９（ａ）に示すように、やはり、第１キーリターン入力信号線ＫＲ＿１に入力されるルートとして２つのルート、つまり、実線で示す通常ルートと点線で示す回り込みルートとが存在する。
【０１６１】
しかしながら、本発明の構成では、図３９（ｂ）に示すように、通常ルートには、第２信号制御抵抗Ｒ＿Ｒａ１が存在し、一方、回り込みルートには、第９信号制御抵抗Ｒ＿Ｒｃ２が存在し、第２信号制御抵抗Ｒ＿Ｒａ１の抵抗値Ｚと第９信号制御抵抗Ｒ＿Ｒｃ２（Ａブロックを基本構成としたときの第３信号制御抵抗Ｒ＿Ｒａ２）の抵抗値Ｙを異なる抵抗値とすることは先ほど述べたとおりであり、第１キーリターン入力信号線ＫＲ＿１に入力されるスキャン信号は、通常ルートと回り込みルートでは異なる電圧値（電位差）として検出され、この電圧差から正しい押下判定が可能となる。
【０１６２】
次に、図４０（ａ）の斜めのハッチングが施されているスイッチＳＷ１、ＳＷ２、ＳＷ１１が同時押下されている状況を想定した場合について見てみる。
ここでも、図示を省略しているが第１キースキャン出力信号線ＫＳ＿Ａをスキャンする時には、先ほど説明したのと同様の結果が得られるので正しい判定状態であり、何ら問題はない。
一方、第４キースキャン出力信号線ＫＳ＿Ｄをスキャンする場合には、図４０（ａ）に示すように、やはり、第２キーリターン入力信号線ＫＲ＿２に入力されるルートとして２つのルート、つまり、実線で示す通常ルートと点線で示す回り込みルートとが存在する。
【０１６３】
しかしながら、本発明の構成では、図４０（ｂ）に示すように、通常ルートには、第９信号制御抵抗Ｒ＿Ｒｃ２と第３信号制御抵抗Ｒ＿Ｒａ２が存在し、一方、回り込みルートには、第２信号制御抵抗Ｒ＿Ｒａ１のみが存在し、第９信号制御抵抗Ｒ＿Ｒｃ２（Ａブロックを基本構成としたときの第３信号制御抵抗Ｒ＿Ｒａ２）及び第３信号制御抵抗Ｒ＿Ｒａ２の抵抗値Ｙを基準として第２信号制御抵抗Ｒ＿Ｒａ１の抵抗値Ｚが２倍の抵抗値Ｙとならないようにすることは、先に述べたとおりであり、通常ルートと回り込みルートでは異なる電圧値（電位差）として検出され、この電圧差から正しい押下判定が可能となる。
【０１６４】
次に、図４１（ａ）の斜めのハッチングが施されているスイッチＳＷ３、ＳＷ４、ＳＷ１１が同時押下されている状況を想定した場合について見てみる。
ここでも、図示を省略しているが第２キースキャン出力信号線ＫＳ＿Ｂをスキャンする時には、先ほど説明したのと同様の結果が得られるので正しい判定状態であり、何ら問題はない。
一方、第４キースキャン出力信号線ＫＳ＿Ｄをスキャンする場合には、図４１（ａ）に示すように、やはり、第２キーリターン入力信号線ＫＲ＿２に入力されるルートとして２つのルート、つまり、実線で示す通常ルートと点線で示す回り込みルートとが存在する。
【０１６５】
しかしながら、本発明の構成では、図４１（ｂ）に示すように、通常ルートには、第９信号制御抵抗Ｒ＿Ｒｃ２と第３信号制御抵抗Ｒ＿Ｒａ２が存在し、一方、回り込みルートには、第２信号制御抵抗Ｒ＿Ｒａ１と第３信号制御抵抗Ｒ＿Ｒａ２が存在し、第９信号制御抵抗Ｒ＿Ｒｃ２（Ａブロックを基本構成としたときの第３信号制御抵抗Ｒ＿Ｒａ２）及び第３信号制御抵抗Ｒ＿Ｒａ２の抵抗値Ｙを基準として第２信号制御抵抗Ｒ＿Ｒａ１の抵抗値Ｚが抵抗値Ｙと異なるとともに２倍の抵抗値Ｙとならないようにすることは、先ほど述べたとおりであり、このような抵抗値の関係を有していれば、第２キーリターン入力信号線ＫＲ＿２に入力されるスキャン信号は、通常ルートと回り込みルートでは異なる電圧値（電位差）として検出され、この電圧差から正しい押下判定が可能となる。
【０１６６】
そして、Ｃブロックの更に第２方向にＡブロックと同様の構成が設けられても、上記で見た関係性が繰り返されているだけであるから同様にこの電圧差から正しい押下判定が可能となる。
【０１６７】
一方、図示で個別に説明することは省略するものの、ＢブロックとＤブロックを跨ぐ場合も、ＡブロックとＣブロックを跨ぐ場合で説明した手順で見ていけば、ＡブロックとＣブロックで説明した内容と同様の内容となる。
【０１６８】
つまり、説明がわかりやすいように、Ｄブロックのスイッチに関して、スイッチＳＷ１３、ＳＷ１４、ＳＷ１５及びＳＷ１６との符号を付しているが、ＤブロックはＢブロックを第２方向に１回繰り返したものになっているため、Ｂブロックの構成を基本構成として、この基本構成の繰り返しという視点で見れば、スイッチＳＷ１３、ＳＷ１４、ＳＷ１５及びＳＷ１６は、基本構成のスイッチＳＷ５、ＳＷ６、ＳＷ７及びＳＷ８と見ることができる。
【０１６９】
また、同様に、第１０信号制御抵抗Ｒ＿ＳＤ２、第１１信号制御抵抗Ｒ＿Ｒｄ１、第１２信号制御抵抗Ｒ＿Ｒｄ２は、基本構成の第４信号制御抵抗Ｒ＿ＳＢ１、第５信号制御抵抗Ｒ＿Ｒｂ１、第６信号制御抵抗Ｒ＿Ｒｂ２と見ることができる。
【０１７０】
そして、ＡブロックとＣブロックを跨ぐ場合で見たのと同様に、基本構成の第４信号制御抵抗Ｒ＿ＳＢ１の抵抗値、第５信号制御抵抗Ｒ＿Ｒｂ１の抵抗値及び第６信号制御抵抗Ｒ＿Ｒｂ２の抵抗値がいずれも異なる抵抗値であって、第６信号制御抵抗Ｒ＿Ｒｂ２の抵抗値を基準としてときに、第５信号制御抵抗Ｒ＿Ｒｂ１の抵抗値が２倍の第６信号制御抵抗Ｒ＿Ｒｂ２の抵抗値でないものとされていればこの電圧差から正しい押下判定が可能となる。
【０１７１】
以上のように、具体的に実施形態に基づいて説明してきた通り、外付け抵抗（信号制御抵抗）を上述のような配置とすることで、スイッチの複数同時押下時の検出不能を回避できるとともに、必要とされる信号制御抵抗の数をスイッチの数よりも減らすことが可能である。
したがって、低コスト化が可能である通常のスイッチと外付け抵抗とを用いた構成でありながら、実装スペースの増加を抑制することができる。
【０１７２】
（第２実施形態の構成）
図１に示した各信号制御抵抗の位置を、図４２に示すように、各ブロック毎において各ブロックの中央を横断するキースキャン信号線を基準にシンメトリーとなる位置に配置する形としてもよい。
具体的に説明すると、図４２に示すように、第２実施形態のキーマトリックス回路１０Ｂでは、例えば、第１信号制御抵抗Ｒ＿ＳＡ１が、第３スイッチＳＷ３よりもスキャン信号の出力側（出力ポート側）の第２キースキャン出力信号線ＫＳ＿Ｂ上に設けられ、第２信号制御抵抗Ｒ＿Ｒａ１が、第３スイッチＳＷ３と第１スイッチＳＷ１の間の第１キーリターン入力信号線ＫＲ＿１上に設けられ、第３信号制御抵抗Ｒ＿Ｒａ２が、第２スイッチＳＷ２よりもスキャン信号の入力側（入力ポート側）の第２キーリターン入力信号線ＫＲ＿２上に設けられ、第４信号制御抵抗Ｒ＿ＳＢ２が、第５スイッチＳＷ５と第２スイッチＳＷ２の間の第１キースキャン出力信号線ＫＳ＿Ａ上に設けられ、第５信号制御抵抗Ｒ＿Ｒｂ１が、第５スイッチＳＷ５と第７スイッチＳＷ７の間の第３キーリターン入力信号線ＫＲ＿３上に設けられ、第６信号制御抵抗Ｒ＿Ｒｂ２が、第６スイッチＳＷ６よりもスキャン信号の入力側（入力ポート側）の第４キーリターン入力信号線ＫＲ＿４上に設けられている。
詳述は省略するが、このように第１実施形態から各信号制御抵抗をシンメトリーとなる位置とした第２実施形態のキーマトリックス回路１０Ｂであっても、第１実施形態のキーマトリックス回路１０と同等の作用効果が得られる。
【０１７３】
以上、本発明の好ましい実施形態について詳述したが、本発明の技術的範囲は上記実施形態に記載の範囲には限定されないことは言うまでもなく、多様な変更又は改良を加えることが可能であることが当業者には明らかであり、その様な変更又は改良を加えた形態も本発明の技術的範囲に含まれ得ることが、特許請求の範囲の記載から明らかである。
【符号の説明】
【０１７４】
１０、１０Ｂ…キーマトリックス回路、ＫＳ＿Ａ，ＫＳ＿Ｂ，ＫＳ＿Ｃ，ＫＳ＿Ｄ…キースキャン出力信号線、ＫＲ＿１〜ＫＲ＿４…キーリターン入力信号線、ＳＷ１〜ＳＷ１６…スイッチ、Ｒ＿ＳＡ１，Ｒ＿Ｒａ１，Ｒ＿Ｒａ２，Ｒ＿ＳＢ２，Ｒ＿Ｒｂ１，Ｒ＿Ｒｂ２，Ｒ＿ＳＣ１，Ｒ＿Ｒｃ１，Ｒ＿Ｒｃ２，Ｒ＿ＳＤ２，Ｒ＿Ｒｄ１，Ｒ＿Ｒｄ２…信号制御抵抗、Ｒ１〜Ｒ４…プルアップ抵抗
【図１】
2018163410.tif 000003
【図２】
2018163410.tif 000004
【図３】
2018163410.tif 000005
【図４】
2018163410.tif 000006
【図５】
2018163410.tif 000007
【図６】
2018163410.tif 000008
【図７】
2018163410.tif 000009
【図８】
2018163410.tif 000010
【図９】
2018163410.tif 000011
【図１０】
2018163410.tif 000012
【図１１】
2018163410.tif 000013
【図１２】
2018163410.tif 000014
【図１３】
2018163410.tif 000015
【図１４】
2018163410.tif 000016
【図１５】
2018163410.tif 000017
【図１６】
2018163410.tif 000018
【図１７】
2018163410.tif 000019
【図１８】
2018163410.tif 000020
【図１９】
2018163410.tif 000021
【図２０】
2018163410.tif 000022
【図２１】
2018163410.tif 000023
【図２２】
2018163410.tif 000024
【図２３】
2018163410.tif 000025
【図２４】
2018163410.tif 000026
【図２５】
2018163410.tif 000027
【図２６】
2018163410.tif 000028
【図２７】
2018163410.tif 000029
【図２８】
2018163410.tif 000030
【図２９】
2018163410.tif 000031
【図３０】
2018163410.tif 000032
【図３１】
2018163410.tif 000033
【図３２】
2018163410.tif 000034
【図３３】
2018163410.tif 000035
【図３４】
2018163410.tif 000036
【図３５】
2018163410.tif 000037
【図３６】
2018163410.tif 000038
【図３７】
2018163410.tif 000039
【図３８】
2018163410.tif 000040
【図３９】
2018163410.tif 000041
【図４０】
2018163410.tif 000042
【図４１】
2018163410.tif 000043
【図４２】
2018163410.tif 000044